(57)【要約】  【課題】  複数の変動図柄が、それぞれ異なる軌跡上を移動する場合においても、必要メモリ量を大幅に削減でき、製造コストの削減化を図ることができる遊技機を提供する。  【解決手段】  ＣＰＵ６６１は、ハズレスクランブルリーチ又は大当たりスクランブルリーチの図柄変動開始の指示がされた場合には、ベースカウンタ６６３Ａのカウント値が７回「０」になるまで、該ベースカウンタ６６３Ａのカウント値が「０」になる毎に、各カウンタ６６３Ｂ、６６３Ｃ、６６３Ｄ、６６３Ｅのカウント値を読み込み、パラメータ記憶エリア６６３Ｇに順次記憶する（Ｓ３３）。そして、ＣＰＵ６６１は、入力された「パターン種類」に対応する「移動回数」を読み出し、該「移動回数」に等しい組数分の各カウンタ６６３Ｂ、６６３Ｃ、６６３Ｄ、６６３Ｅのカウント値を１組分ずつ順番に読み出して、移動回数分の各コーヒーカップ９２、９３の移動先の座標位置を決定する（Ｓ３５）。  【選択図】  図２１
2005168684.tif 000002
【特許請求の範囲】
【請求項１】
遊技領域に設けられて複数の変動図柄を表示する特別図柄表示装置を備え、前記変動図柄が変動後、所定の態様で停止する一つ手前の変動状態から最終停止図柄が停止する状態までに表示されるリーチ表示パターンを表示し、該最終停止図柄が所定の態様を構成する特定図柄で停止した後、遊技者に有利な特別遊技状態が発生する遊技機において、
遊技機の動作状態を制御する主制御部と、
前記主制御部とは別体に設けられると共に、前記特別図柄表示装置を制御する表示制御部と、を備え、
前記リーチ表示パターンは、前記特定図柄を含む図柄群の図柄がそれぞれランダムに選択された互いに異なる位置に所定回数移動後、該図柄群の図柄のうちの一の図柄が前記最終停止図柄として表示される複数種類のスクランブルリーチ表示パターンを含み、
前記主制御部は、前記複数種類のスクランブルリーチ表示パターンから一のスクランブルリーチ表示パターンをリーチ表示パターンとして所定の第１確率で選択するリーチ表示パターン選択手段を有し、
前記表示制御部は、
前記各スクランブルリーチ表示パターンに対して、前記図柄群の各図柄の最初の表示位置を記憶する第１表示位置記憶手段と、
該各スクランブルリーチ表示パターンに対して、該図柄群の各図柄のうちの最終停止図柄の第１最終表示位置を記憶する第２表示位置記憶手段と、
該図柄群の各図柄の最初の表示位置の次の表示位置から最後の表示位置の一回前の表示位置までの間に移動する移動回数を該各スクランブルリーチ表示パターンに対応して決定する移動回数決定手段と、
該図柄群の各図柄に対して前記移動回数分の互いに異なる表示位置をランダムに選択する第１表示位置選択手段と、
該図柄群の各図柄のうちの最終停止図柄でない第２図柄のそれぞれの第２最終表示位置をランダムに選択する第２表示位置選択手段と、
を有し、
該表示制御部は、主制御部からスクランブルリーチ表示パターンを入力された場合には、該スクランブルリーチ表示パターンに対応する図柄群の各図柄の各々の最初の表示位置と、該図柄群の各図柄の最初の表示位置の次の表示位置から最後の表示位置の一回前の表示位置までの間に移動する移動回数分の表示位置と、前記第１最終表示位置と、前記第２最終表示位置と、に基づいて該図柄群の各図柄を移動表示することを特徴とする遊技機。
【請求項２】
前記表示制御部は、前記図柄群の各図柄を最初に表示後、該図柄群の各図柄を隠して移動表示することを特徴とする請求項１に記載の遊技機。
【請求項３】
前記第２表示位置選択手段は、前記第２最終表示位置を表示領域外に選択することを特徴とする請求項１又は請求項２に記載の遊技機。
【請求項４】
前記図柄群の各図柄の最初の表示位置の次の表示位置から最後の表示位置の一回前の表示位置までの間に移動する表示位置は、前記特別図柄表示装置の表示領域外の表示位置を含むことを特徴とする請求項１乃至請求項３のいずれかに記載の遊技機。
【発明の詳細な説明】
【技術分野】
【０００１】
本発明は、遊技領域に変動図柄を表示する特別図柄表示装置が設けられた遊技機に関するものである。
【背景技術】
【０００２】
従来より、遊技領域に特別図柄表示装置が設けられ、表示制御部を介して複数列の変動図柄等がこの特別図柄表示装置の画面に表示される遊技機に関し種々提案されている。
例えば、遊技盤に設けられ、かつ、それぞれが変動表示され、所定のタイミングで個別に停止表示され得る複数の変動図柄からなる識別情報画像を表示する識別情報画像領域と、演出画像を表示する演出画像領域とからなる画面画像が表示される表示部を有する遊技機であって、上記複数の変動図柄がそれぞれ変動表示される際、少なくとも２つの変動図柄の軌跡がクロスするように移動する遊技機が提案されている（例えば、特許文献１参照。）。
【特許文献１】特開２００２−２９２０１７号公報（段落（００７５）〜（０１１５）、図５〜図８）
【発明の開示】
【発明が解決しようとする課題】
【０００３】
上述した遊技機では、少なくとも２つの変動図柄の軌跡がクロスするように移動するという従来にない複雑な動きをするので、遊技者は、意外性に富んだ変動図柄の動きを追いかけようとして画面に注目することとなり、また、変動図柄の動きを中心とする画像上の演出表現に新鮮味を感じ、その演出表現を楽しむことができる。従って、このような演出表現により、遊技者を画像に引きつけることができ、遊技の行方についての期待感をより高めることができる。
しかしながら、従来の遊技機においては、２つの変動図柄の軌跡がクロスするように移動する各変動図柄の軌跡データは、予め一組のデータとしてＲＯＭ上に格納されているため、曲線等からなる２つの変動図柄の軌跡が、複数の箇所においてクロスすると共に、それぞれの変動図柄において、異なる複数の軌跡から一の軌跡を選択して移動する場合には、各軌跡データの全ての組合せの軌跡データをＲＯＭ上に格納する必要があり、必要メモリ量が飛躍的に増大し、製造コストアップを招くという問題がある。例えば、一方の変動図柄は、１０種類の軌跡から１種類の軌跡を選択し、他方の変動図柄は、３０種類の軌跡から１種類の軌跡を選択する場合には、３００組の軌跡データを予めＲＯＭ上に格納する必要があるため、飛躍的にＲＯＭの必要記憶容量が増大し、製造コストアップになるという問題がある。
【０００４】
そこで、本発明は、上述した問題点を解決するためになされたものであり、２つの変動図柄の軌跡が、複数の箇所においてクロスしたり、それぞれの変動図柄に対して異なる複数の軌跡から一の軌跡を選択して移動する場合においても、必要メモリ量を大幅に削減でき、製造コストの削減化を図ることができる遊技機を提供する。
【課題を解決するための手段】
【０００５】
前記目的を達成するため請求項１に係る遊技機は、遊技領域に設けられて複数の変動図柄を表示する特別図柄表示装置を備え、前記変動図柄が変動後、所定の態様で停止する一つ手前の変動状態から最終停止図柄が停止する状態までに表示されるリーチ表示パターンを表示し、該最終停止図柄が所定の態様を構成する特定図柄で停止した後、遊技者に有利な特別遊技状態が発生する遊技機において、遊技機の動作状態を制御する主制御部と、
前記主制御部とは別体に設けられると共に、前記特別図柄表示装置を制御する表示制御部と、を備え、前記リーチ表示パターンは、前記特定図柄を含む図柄群の図柄がそれぞれランダムに選択された互いに異なる位置に所定回数移動後、該図柄群の図柄のうちの一の図柄が前記最終停止図柄として表示される複数種類のスクランブルリーチ表示パターンを含み、前記主制御部は、前記複数種類のスクランブルリーチ表示パターンから一のスクランブルリーチ表示パターンをリーチ表示パターンとして所定の第１確率で選択するリーチ表示パターン選択手段を有し、前記表示制御部は、前記各スクランブルリーチ表示パターンに対して、前記図柄群の各図柄の最初の表示位置を記憶する第１表示位置記憶手段と、該各スクランブルリーチ表示パターンに対して、該図柄群の各図柄のうちの最終停止図柄の第１最終表示位置を記憶する第２表示位置記憶手段と、該図柄群の各図柄の最初の表示位置の次の表示位置から最後の表示位置の一回前の表示位置までの間に移動する移動回数を該各スクランブルリーチ表示パターンに対応して決定する移動回数決定手段と、該図柄群の各図柄に対して前記移動回数分の互いに異なる表示位置をランダムに選択する第１表示位置選択手段と、該図柄群の各図柄のうちの最終停止図柄でない第２図柄のそれぞれの第２最終表示位置をランダムに選択する第２表示位置選択手段と、を有し、該表示制御部は、主制御部からスクランブルリーチ表示パターンを入力された場合には、該スクランブルリーチ表示パターンに対応する図柄群の各図柄の各々の最初の表示位置と、該図柄群の各図柄の最初の表示位置の次の表示位置から最後の表示位置の一回前の表示位置までの間に移動する移動回数分の表示位置と、前記第１最終表示位置と、前記第２最終表示位置と、に基づいて該図柄群の各図柄を移動表示することを特徴とする。
【０００６】
このような特徴を有する請求項１に係る遊技機においては、遊技機の動作状態を制御する主制御部は、リーチ表示パターンとして、所定の態様を構成する特定図柄を含む図柄群の図柄がそれぞれランダムに選択された互いに異なる位置に所定回数移動後、該図柄群ののうちの一の図柄が前記最終停止図柄として表示される複数種類のスクランブルリーチ表示パターンから一のスクランブルリーチ表示パターンを所定の第１確率で選択する。その後、主制御部は、この選択されたスクランブルリーチ表示パターンを表示制御部に出力する。
一方、表示制御部は、各スクランブルリーチ表示パターンに対応する図柄群の各図柄の最初の表示位置を記憶すると共に、最終停止図柄の第１最終表示位置を記憶している。また、表示制御部は、該図柄群の各図柄の最初の表示位置の次の表示位置から最後の表示位置の一回前の表示位置までの間に移動する移動回数を各スクランブルリーチ表示パターンに対応して決定し、この決定した移動回数分の互いに異なる表示位置を該図柄群の各図柄に対してランダムに選択する。また、表示制御部は、該図柄群の図柄のうちの最終停止図柄でない第２図柄のそれぞれの第２最終表示位置をランダムに選択する。そして、該表示制御部は、主制御部からスクランブルリーチ表示パターンが入力された場合には、このスクランブルリーチ表示パターンに対応して選択されたこれらの表示位置に基づいて該図柄群の各図柄を最初の表示位置に表示し、続いて、該図柄群の各図柄を移動回数分だけランダムに移動表示した後、最終停止図柄を第１最終表示位置に表示すると共に、最終停止図柄でない第２図柄を第２最終表示位置に表示する。
【０００７】
また、請求項２に係る遊技機は、請求項１に記載の遊技機において、前記表示制御部は、前記図柄群の各図柄を最初に表示後、該図柄群の各図柄を隠して移動表示することを特徴とする。
【０００８】
また、請求項３に係る遊技機は、請求項１又は請求項２に記載の遊技機において、前記第２表示位置選択手段は、前記第２最終表示位置を表示領域外に選択することを特徴とする。
【０００９】
更に、請求項４に係る遊技機は、請求項１乃至請求項３のいずれかに記載の遊技機において、前記図柄群の各図柄の最初の表示位置の次の表示位置から最後の表示位置の一回前の表示位置までの間に移動する表示位置は、前記特別図柄表示装置の表示領域外の表示位置を含むことを特徴とする。
【発明の効果】
【００１０】
請求項１に係る遊技機では、主制御部は、複数種類のスクランブルリーチ表示パターンから一のスクランブルリーチ表示パターンを所定の第１確率で選択して、表示制御部に出力するだけで特別図柄表示装置に該スクランブルリーチ表示パターンが表示されるため、複数種類のスクランブルリーチ表示パターンのそれぞれに対して、図柄群の各図柄の最初の表示位置から最後の表示位置までの間に移動するそれぞれの軌道データの複数種類の組み合わせを予めＲＯＭに記憶しておく必要が無く、主制御部のメモリ容量の削減化及び製造コストの削減化を図ることができる。
また、表示制御部は、主制御部から入力されたスクランブルリーチ表示パターンに対応する図柄群の各図柄の最初の表示位置の次の表示位置から最後の表示位置の一回前の表示位置までの間に移動する移動回数を各スクランブルリーチ表示パターンに対応して決定し、この決定した移動回数分の互いに異なる表示位置を該図柄群の各図柄に対してランダムに選択する。その後、該表示制御部は、該図柄群の各図柄を最初の表示位置に表示し、続いて、該図柄群の各図柄を移動回数分だけランダムに移動表示した後、最終停止図柄を第１最終表示位置に表示すると共に、最終停止図柄でない第２図柄をランダムに選択した第２最終表示位置に表示するため、複数種類のスクランブルリーチ表示パターンのそれぞれに対して、図柄群の各図柄の最初の表示位置の次の表示位置から最後の表示位置の一回前の表示位置までの間に移動するそれぞれの軌道データの複数種類の組み合わせを予めＲＯＭに記憶しておく必要が無く、表示制御部のメモリ容量の削減化及び製造コストの削減化を図ることができる。
また、各スクランブルリーチ表示パターンにおいて表示される図柄群の各図柄を、遊技者の予測できないランダムに選択される各表示位置に順次移動表示でき、特別図柄表示装置の演出表示効果を高めることができ、遊技者の興趣を増大させることができる。
【００１１】
また、請求項２に係る遊技機では、表示制御部は、スクランブルリーチ表示パターンを構成する図柄群の各図柄を最初に表示後、該図柄群の各図柄を隠して移動表示するため、各図柄の予測できない移動表示と相まって、遊技者は表示画面上の隠された各図柄を更に注視して追いかけなければならなくなり、遊技者を画像演出に更に引きつけることができ、遊技の行方についての期待感をより高めることができる。
【００１２】
また、請求項３に係る遊技機では、図柄群の各図柄のうち最終停止図柄でない第２図柄は、表示領域外のランダムに選択された第２最終表示位置に移動表示される、即ち、特別図柄表示装置の表示領域外に移動停止するため、表示画面上には最後に１個の図柄のみが表示され、遊技者を画像演出に更に引きつけることができ、最終的に残る図柄への期待感をより高めることができ、遊技の興趣をより増大させることができる。また、各図柄が隠された状態で予測できないランダムな表示位置に移動表示される場合には、最後に残った隠された図柄への遊技者の期待感を更に高めることができ、遊技の興趣をより増大させることができる。
【００１３】
更に、請求項４に係る遊技機では、図柄群の各図柄の各々の最初の表示位置の次の表示位置から最後の表示位置の一回前の表示位置までの間に移動する表示位置は、特別図柄表示装置の表示領域外の表示位置を含むため、各図柄が表示領域外から表示画面に入ってくる位置を予測できず、遊技者の興味を表示画面に更に強く引きつけることができる。また、各図柄が隠されて移動表示される場合には、表示領域外から表示画面に入ってきた各図柄を予測することが更に困難になるため、最後に残った隠された図柄への遊技者の期待感をより高めることができ、遊技への興趣をより一層増大させることができる。
【発明を実施するための最良の形態】
【００１４】
以下、本発明に係る遊技機をパチンコ機について具体化した一実施形態を図面を参照して詳細に説明する。
【実施例１】
【００１５】
先ず、本実施形態に係るパチンコ機の概略構成について図１乃至図３に基づき説明する。
図１乃至図３に示すように、本実施形態に係るパチンコ機１は、所定量のパチンコ球を賞球として払い出す、いわゆる第１種パチンコ機で、一般にＣＲ機（カードリーディング機）と称され、カード式球貸機とパチンコ機１とによって構成され、これらは対をなして設置されるが、図１及び図３においては、カード式球貸機の図示を省略している。パチンコ機１は、木製の外枠２１に対して合成樹脂製の前枠３が、前枠取付用ヒンジを構成する上ヒンジ３Ａ及び下ヒンジ３Ｂを介して外枠２１に対して開閉自在に取り付けられている。そして、この前枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して遊技盤２上の遊技領域１１を見ることができるように構成されている。また、前面カバー部材４の窓部５の上端縁部には、フルカラーの発光ダイオードが内蔵され、遊技中のエラーを表示するエラー表示電飾ランプ６Ａが取付けられている。また、このエラー表示電飾ランプ６Ａの左右外側には、「当たり」等の発生を報知したり遊技中に光演出をする各電飾ランプ６Ｂが取付けられている。また、前面カバー部材４の前面部分は、不透明な合成樹脂製の前面部材４Ａで覆われており、この各電飾ランプ６Ａ、６Ｂと窓部５の上端周縁部との間に、不図示のフルカラーダイオードが左右方向に内蔵され、遊技中に光演出が行われる。
【００１６】
また、前面カバー部材４の右側中央部には、前枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材７のみがオープンされる。
【００１７】
また、この前面カバー部材４の下側には、公知の賞球払出装置（特開平１１−３０９２６５号公報等参照）を介して払い出される賞球を受ける上皿７がスピーカ７Ａを内蔵して合成樹脂製プレート８に配設されている。また、このプレート８は、左端縁部の上下を軸支されて、前面カバー部材４を開放後、内側に設けられた不図示のレバーを下げることにより開放できるように取付けられている。また、この上皿７の中央前面部には、カード式球貸機の操作ボタン７Ｂ、７Ｃ及びカード残高表示装置７Ｄが設けられている。そして、その上皿７の下には、下皿９が配設される。また、上皿７に連通する不図示の球送り機構を介して上皿７のパチンコ球が操作ハンドル１０に連結された発射装置１０Ａへ送られるよう構成されている。
【００１８】
次に、図２において、パチンコ機１における遊技盤２上の遊技領域の構成について説明する。この遊技領域１１は、所定厚さの板材をなした遊技盤２上に入賞口などの各構造物が配設され、それを囲むように環状のレール１２が立設されて構成されている。このレール１２は、発射されたパチンコ球を遊技領域１１内に案内する重複して形成した案内路１３を構成し、右肩部にはレール１２に沿って打ち込まれるパチンコ球の進行を制限するための段差部１４を有する。
【００１９】
遊技領域１１のほぼ中央には、開口部が開設され、この開口部の前面側に特別図柄表示装置１８が配設されている。この特別図柄表示装置１８は、遊技盤２の前面側から取り付けられる装飾部材１７と、遊技盤２の裏面側から取り付けられる液晶表示器（ＬＣＤ）１９等から構成されている。この液晶表示器１９は、左、中、右に３つの変動図柄を表示する液晶パネルであって、左下角部には、左右に２分割された普通図柄を表示する普通図柄表示部２０が構成されている。そして、装飾部材１７の前面部上方には、鰐のキャラクタが前面に形成される上部装飾部材１７Ａが、装飾部材１７を構成する枠本体部材１７Ｂの前面部に取り付けられている。また、この枠本体部材１７Ｂの内側底面部には、案内部材３３が取り付けられている。
【００２０】
一方、特別図柄表示装置１８の左右には各ゲート２３、２４が配設されている。また、各ゲート２３、２４と特別図柄表示装置１８の間には通常の風車２５、２６が設けられ、特別図柄表示装置１８の両肩側には各電飾ランプ２７Ａ、２８Ａが内蔵される風車２７、２８が設けられている。また、各ゲート２３、２４の外側には、各電飾ランプ２９Ａ、３０Ａが内蔵される肩電飾部材２９、３０が配置されている。
【００２１】
また、特別図柄表示装置１８の直下には、前面に蛇のキャラクタが描かれた始動口３１が配設されている。この始動口３１には、パチンコ球の入賞を検出する始動口スイッチ（不図示）が設けられ、パチンコ球の入賞を検出することで液晶表示器１９に表示されている特別図柄が変動する。そして、特別図柄が変動中に始動口３１に入賞した場合には、入賞個数が４個まで後述の主基板４６（図３参照）に設けられるＲＡＭの第１保留カウンタ（後述する）に記憶されて変動確定回数として保留される。そして、この第１保留カウンタに記憶されているカウント値を表示する第１保留ＬＥＤ３４が、液晶表示器１９の左右両側に各々２個ずつ配置されている。
【００２２】
また、各ゲート２３、２４にはパチンコ球の通過を検出するゲートスイッチ（不図示）が備えられており、パチンコ球の通過を検出することで普通図柄表示部２０の普通図柄が変動する。そして、このゲート２３又はゲート２４にパチンコ球が入って、普通図柄表示部２０の普通図柄が変動後、所定の表示態様で停止した場合（例えば、「１１」、「７７」のように揃った場合等）には、始動口３１の上部に設けられるチューリップ式役物３１Ａが所定時間（第１実施形態では、約１秒間）開かれ、この始動口３１にパチンコ球が入賞する確率が増加する。
【００２３】
また、普通図柄が変動中に各ゲート２３、２４をパチンコ球が通過した場合には、通過個数が４個まで主基板４６（図３参照）に設けられるＲＡＭの第２保留カウンタ（後述する）に記憶されて変動確定回数として保留される。そして、この第２保留カウンタに記憶されているカウント値を表示する第２保留ＬＥＤ３５が、上部装飾部材１７Ａの上端縁部に左右水平方向に４個配置されている。
【００２４】
そして、始動口３１の下側には、横幅が広い上方に開口する開閉扉３９で前面部を覆われる大入賞口４０が形成された特別入賞装置４１が配設されている。また、この大入賞口４０の左右両側には上方に開口する各入賞口４２、４３が前面側に突出して形成されている。また、各入賞口４２、４３の下側には、各電飾ランプ４２Ａ、４３Ａが内蔵されている。
【００２５】
また、この特別入賞装置４１の両側上方には各電飾ランプ４４Ａ、４５Ａが内蔵された下入賞口４４、４５が配設されて遊技盤２裏面の不図示の賞球樋に連通され、この下入賞口４４、４５への入賞を検出する下入賞口スイッチ（不図示）が設けられている。また、特別入賞装置４１の直下にはレール１２に沿ってアウト口４４が開設されている。更に、レール１２に囲まれたこのような遊技領域１１には、前記各構成物とともに複数の釘が打設されてパチンコ球の複雑な流路を構成している。
【００２６】
また、図３に示すように、パチンコ機１の裏側最上段には、上方に開口した賞球タンク５０が機構セット盤５１に固定されている。賞球タンク５０は、傾斜した底面に連通孔が形成され、その連通孔の下方にはパチンコ球を２列に整列流出し、賞球ケース５２にパチンコ球を送る通路を形成するタンクレール５３が取付けられている。
また、タンクレール５３の下側には液晶表示器（ＬＣＤ）１９等をカバーする樹脂製のセンターカバー５４が取付けられている。そして、このセンターカバー５４の背面部内側には、スピーカ７Ａを駆動制御する音制御基板６４、各電飾ランプ６Ａ、６Ｂ等を駆動制御するランプ制御基板６５、及びＬＣＤ１９等を駆動制御する表示制御基板６６が取り付けられている。また、センターカバー５４の下側には、パチンコ機１の遊技動作を制御する主基板４６が内蔵される基板ケース５５が配設されている。また、基板ケース５５の下方には、上皿７から溢れた賞球を受けて下皿９に案内する下部受皿ボックス５６がボルトにより前枠３の裏側に取り付けられている。
【００２７】
次に、上記のように構成されたパチンコ機１の駆動制御に係る制御システムの構成について図４乃至図８に基づいて説明する。
【００２８】
図４に示すように、パチンコ機１の駆動制御に係る制御システムは、主基板４６、音制御基板６４、ランプ制御基板６５、及び表示制御基板６６等から構成されている。
【００２９】
主基板４６は、ＣＰＵ４６１、ＲＯＭ４６２、ＲＡＭ４６３、及び入出力回路（Ｉ／Ｏ）４６４等から構成され、このＣＰＵ４６１、ＲＯＭ４６２、ＲＡＭ４６３、及び入出力回路（Ｉ／Ｏ）４６４は、バス線により相互に接続されている。また、ＣＰＵ４６１にはクロック回路４６０が接続されて所定のクロック信号が入力される。また、入出力回路４６４には、図示しない始動口スイッチ、各下入賞口スイッチ、各入賞口スイッチ、大入賞口スイッチ、Ｖスイッチ等が接続されている。
【００３０】
また、図５に示すように、ＲＡＭ４６３には、クロック回路４６０から入力されるクロック信号に基づいて０から３５９まで繰り返し１ずつ加算した数値（最大値３５９の次には最小値０に戻る）が格納される大当たりカウンタ４６３Ａが設けられている。この大当たりカウンタ４６３Ａのカウント値は、始動口スイッチからスイッチ信号が出力されるタイミングで読み取られ、その読み取られたカウント値に基づき大当たりかどうか判断される。ここでは、例えば、通常時は、カウント値「７」が大当たりに対応し、いわゆる確率変動モードの場合には、カウント値「１、３、５、７」が大当たりに対応しており、その他のカウント値は外れとなる。
また、クロック回路４６０から入力されるクロック信号に基づいて０から９まで繰り返し１ずつ加算した数値（最大値９の次には最小値０に戻る）が格納される普通図柄カウンタ４６３Ｂが設けられている。かかる普通図柄カウンタ４６３Ｂのカウント値は、各ゲートスイッチからスイッチ信号が出力されるタイミングで読み取られ、その読み取られたカウント値に基づいて当たりかどうか判断される。ここでは、例えば、カウント値が偶数の場合が当たりに対応し、奇数の場合が外れに対応している。
また、特別図柄表示装置１８の変動図柄が変動中に始動口３１に入賞した入賞個数が最大４個までカウントされる第１保留カウンタ４６３Ｃが設けられている。また、普通図柄表示部２０の普通図柄が変動中にゲート２３又はゲート２４を通過した通過個数が最大４個までカウントされる第２保留カウンタ４６３Ｄが設けられている。
【００３１】
また、ＲＡＭ４６３には、クロック回路４６０から出力されるクロック信号に基づいて０から３まで繰り返し１ずつ加算した数値（最大値３の次には最小値０に戻る）が格納される大当たり変動パターン選択カウンタ４６３Ｅが設けられている。かかる大当たり変動パターン選択カウンタ４６３Ｅのカウント値は、パチンコ球が始動口３１に入賞しない限りリーチ状態が発生しないことから、始動口スイッチからスイッチ信号が出力されるタイミングで読み取られ、その読み取られたカウント値に基づき後述のように大当たりスクランブルリーチのリーチ表示パターンの種類が選択される（図１２参照）。
【００３２】
また、ＲＡＭ４６３には、クロック回路４６０から出力されるクロック信号に基づいて０から１９９まで繰り返し１ずつ加算した数値（最大値１９９の次には最小値０に戻る）が格納されるリーチカウンタ４６３Ｆが設けられている。かかるリーチカウンタ４６３Ｆのカウント値は、パチンコ球が始動口３１に入賞しない限りリーチ状態が発生しないことから、始動口スイッチからスイッチ信号が出力されるタイミングで読み取られ、後述のように、その読み取られたカウント値に基づき「大当たり」の演出表示のリーチ表示パターンが選択される（図１０参照）。
【００３３】
また、ＲＡＭ４６３には、クロック回路４６０から出力されるクロック信号に基づいて０から８まで繰り返し１ずつ加算した数値（最大値８の次には最小値０に戻る）が格納される大当たり図柄選択カウンタ４６３Ｇが設けられている。かかる大当たり図柄選択カウンタ４６３Ｇのカウント値は、始動口スイッチからスイッチ信号が出力されるタイミングで読み取られ、その読み取られたカウント値に基づき特別図柄表示装置１８に表示される大当たり図柄が選択される。ここでは、例えば、カウント値「０」が大当たり図柄「１１１」、カウント値「１」が大当たり図柄「２２２」、カウント値「２」が大当たり図柄「３３３」、カウント値「３」が大当たり図柄「４４４」、カウント値「４」が大当たり図柄「５５５」、カウント値「５」が大当たり図柄「６６６」、カウント値「６」が大当たり図柄「７７７」、カウント値「７」が大当たり図柄「８８８」、カウント値「８」が大当たり図柄「９９９」に対応している。尚、各大当たり図柄は、公知のように、大当たり時に各種の表示演出に基づき一連の図柄変動を経た後に停止表示される図柄である。また、「１」、「２」、「３」、「４」、「５」、「６」、「７」、「８」、「９」は、特定図柄を構成する。
【００３４】
また、ＲＡＭ４６３には、クロック回路４６０から出力されるクロック信号に基づいて０から３まで繰り返し１ずつ加算した数値（最大値３の次には最小値０に戻る）が格納される普通図柄選択カウンタ４６３Ｈが設けられている。ここでは、例えば、カウント値「０」が普通図柄「１１」、カウント値「１」が普通図柄「１７」、カウント値「２」が普通図柄「７１」、カウント値「３」が普通図柄「７７」に対応している。尚、各普通図柄は、公知のように、一連の図柄変動を経た後に停止表示される図柄である。
【００３５】
また、ＲＡＭ４６３には、クロック回路４６０から出力されるクロック信号に基づいて０から２００まで繰り返し１ずつ加算した数値（最大値２００の次には最小値０に戻る）が格納されるハズレ図柄選択カウンタ４６３Ｉが設けられている。
更に、ＲＡＭ４６３には、クロック回路から出力されるクロック信号に基づいて０から１４３まで繰り返し１ずつ加算した数値（最大値１４３の次には最小値０に戻る）が格納されるリーチ図柄選択カウンタ４６３Ｊが設けられている。
【００３６】
また、始動口３１に入賞したときの大当たりカウンタ４６３Ａ、大当たり変動パターン選択カウンタ４６３Ｅ、リーチカウンタ４６３Ｆ、大当たり図柄選択カウンタ４６３Ｇ、ハズレ図柄選択カウンタ４６３Ｉ、リーチ図柄選択カウンタ４６３Ｊの各のカウント値や、各ゲート２３、２４をパチンコ球が通過したときの普通図柄カウンタ４６３Ｂのカウント値や、各カウンタ４６３Ｈ等のカウント値が記憶されるパラメータ記憶エリア４６３Ｋが設けられている。
尚、各カウンタ４６３Ａ、４６３Ｂ、４６３Ｃ、４６３Ｄ、４６３Ｅ、４６３Ｆ、４６３Ｇ、４６３Ｈ、４６３Ｉ及び４６３Ｊの各カウント値は、起動時に「０」にセットされる。また、第１保留カウンタ４６３Ｃは、変動図柄が変動を開始する毎に１減算される。また、第２保留カウンタ４６３Ｄは、普通図柄が変動を開始する毎に１減算される。
【００３７】
そしてまた、図６に示すように、ＲＯＭ４６２には、後述のハズレリーチパターンテーブル７１（図９参照）が格納されるハズレリーチパターンテーブル記憶エリア４６２Ａが設けられている。また、ＲＯＭ４６２には、後述の大当たりリーチパターンテーブル７２（図１０参照）が格納される大当たりリーチパターンテーブル記憶エリア４６２Ｂが設けられている。また、ＲＯＭ４６２には、後述のハズレスクランブルリーチパターンテーブル７５（図１１参照）が格納されるハズレ変動パターンテーブル記憶エリア４６２Ｃが設けられている。また、ＲＯＭ４６２には、後述の大当たりテーブル７９（図１２参照）が格納される大当たり変動パターンテーブル記憶エリア４６２Ｄが設けられている。
【００３８】
また、図４に示すように、音制御基板６４には、ＣＰＵ６４１、スピーカ７Ａ等の駆動制御プログラム等を格納するＲＯＭ６４２、主基板４６からの各種制御信号を格納するＲＡＭ６４３、及び主基板４６から送出される各種制御信号を受信する入出力回路（Ｉ／Ｏ）６４４等が配設されている。そして、このＣＰＵ６４１、ＲＯＭ６４２、ＲＡＭ６４３、及び入出力回路（Ｉ／Ｏ）６４４は、バス線により相互に接続されている。また、ＣＰＵ６４１にはクロック回路６４０が接続されて所定のクロック信号が入力される。また、入出力回路（Ｉ／Ｏ）６４４には、主基板４６の入出力回路（Ｉ／Ｏ）４６４が接続されている。また、この入出力回路（Ｉ／Ｏ）６４４には、スピーカ７Ａ等が接続されている。そして、ＣＰＵ６４１は、主基板４６から入力される各種制御信号に基づいて、スピーカ７Ａの駆動制御を行う。
【００３９】
また、図４に示すように、ランプ制御基板６５には、ＣＰＵ６５１、各電飾ランプ６Ａ、６Ｂ、２７Ａ、２８Ａ、２９Ａ、３０Ａ、４２Ａ、４３Ａ、４４Ａ、４５Ａ等の駆動制御プログラム等を格納するＲＯＭ６５２、主基板４６からの各種制御信号を格納するＲＡＭ６５３、及び主基板４６から送出される各種制御信号を受信する入出力回路（Ｉ／Ｏ）６５４等が配設されている。そして、このＣＰＵ６５１、ＲＯＭ６５２、ＲＡＭ６５３、及び入出力回路（Ｉ／Ｏ）６５４は、バス線により相互に接続されている。また、ＣＰＵ６５１にはクロック回路６５０が接続されて所定のクロック信号が入力される。また、入出力回路（Ｉ／Ｏ）６５４には、主基板４６の入出力回路（Ｉ／Ｏ）４６４が接続されている。また、この入出力回路（Ｉ／Ｏ）６５４には、各電飾ランプ６Ａ、６Ｂ、２７Ａ、２８Ａ、２９Ａ、３０Ａ、４２Ａ、４３Ａ、４４Ａ、４５Ａ等が接続されている。そして、ＣＰＵ６５１は、主基板４６から入力される各種制御信号に基づいて、各電飾ランプ６Ａ、６Ｂ、２７Ａ、２８Ａ、２９Ａ、３０Ａ、４２Ａ、４３Ａ、４４Ａ、４５Ａ等の駆動制御を行う。
【００４０】
また、図４に示すように、表示制御基板６６には、ＣＰＵ６６１、表示制御プログラムや所要の表示データを格納するＲＯＭ６６２、表示指令、表示情報、入出力信号等を格納するＲＡＭ６６３、主基板４６から送出される各種制御信号を受信する入出力回路（Ｉ／Ｏ）６６４、及びＣＰＵ６６１から送られた表示情報を受けて液晶表示器（ＬＣＤ）１９に対して画像を加工して表示するＶＤＰ（Video Display Processor）６６５等が配設されている。そして、このＣＰＵ６６１、ＲＯＭ６６２、ＲＡＭ６６３、入出力回路（Ｉ／Ｏ）６６４、及びＶＤＰ（Video Display Processor）６６５は、バス線により相互に接続されている。また、ＣＰＵ６６１にはクロック回路６６０が接続されて所定のクロック信号が入力される。そして、ＣＰＵ６６１は、主基板４６から入力される表示パターン情報等の各種制御信号に基づいて、液晶表示器１９に所定の演出表示を行う（図２４〜図２８参照）。
【００４１】
また、図７に示すように、ＲＡＭ６６３には、クロック回路６６０から入力されるクロック信号に基づいて約４ｍｓｅｃ毎に０から１８まで繰り返し１ずつ加算した数値（最大値１８の次には最小値０に戻る）が格納されるベースカウンタ６６３Ａが設けられている。
また、ＲＡＭ６６３には、クロック回路６６０から入力されるクロック信号に基づいて約４ｍｓｅｃ毎に０から６まで繰り返し１ずつ加算した数値（最大値６の次には最小値０に戻る）が格納される左側図柄Ｘカウンタ６６３Ｂが設けられている。この左側図柄Ｘカウンタ６６３Ｂのカウント値は、後述のようにハズレスクランブルリーチ又は大当たりスクランブルリーチの表示の際の左側図柄のＸ座標値に対応している。
また、ＲＡＭ６６３には、クロック回路６６０から入力されるクロック信号に基づいて約４ｍｓｅｃ毎に０から１０まで繰り返し１ずつ加算した数値（最大値１０の次には最小値０に戻る）が格納される左側図柄Ｙカウンタ６６３Ｃが設けられている。この左側図柄Ｙカウンタ６６３Ｃのカウント値は、後述のようにハズレスクランブルリーチ又は大当たりスクランブルリーチの表示の際の左側図柄のＹ座標値に対応している。
【００４２】
また、ＲＡＭ６６３には、クロック回路６６０から入力されるクロック信号に基づいて約４ｍｓｅｃ毎に０から７まで繰り返し１ずつ加算した数値（最大値７の次には最小値０に戻る）が格納される右側図柄Ｘカウンタ６６３Ｄが設けられている。この右側図柄Ｘカウンタ６６３Ｄのカウント値は、後述のようにハズレスクランブルリーチ又は大当たりスクランブルリーチの表示の際の右側図柄のＸ座標値に対応している。
また、ＲＡＭ６６３には、クロック回路６６０から入力されるクロック信号に基づいて約４ｍｓｅｃ毎に０から１１まで繰り返し１ずつ加算した数値（最大値１１の次には最小値０に戻る）が格納される右側図柄Ｙカウンタ６６３Ｅが設けられている。この右側図柄Ｙカウンタ６６３Ｅのカウント値は、後述のようにハズレスクランブルリーチ又は大当たりスクランブルリーチの表示の際の右側図柄のＹ座標値に対応している。
【００４３】
また、ＲＡＭ６６３には、クロック回路６６０から入力されるクロック信号に基づいて約４ｍｓｅｃ毎に０から５０まで繰り返し１ずつ加算した数値（最大値５０の次には最小値０に戻る）が格納される表示領域外座標選択カウンタ６６３Ｆが設けられている。この表示領域外座標選択カウンタ６６３Ｆのカウント値に基づき後述のように表示領域外の座標位置が選択される。
また、ＲＡＭ６６３には、後述のようにハズレスクランブルリーチ又は大当たりスクランブルリーチの表示の際に、このベースカウンタ６６３Ａのカウント値が所定のカウント値（本実施形態では、「０」である。）になる毎に、各カウンタ６６３Ｂ、６６３Ｃ、６６３Ｄ、６６３Ｅ、６６３Ｆ等の各カウント値が所定回数（本実施形態では、７回である。）連続して記憶されるパラメータ記憶エリア６６３Ｇが設けられている。
尚、各カウンタ６６３Ａ、６６３Ｂ、６６３Ｃ、６６３Ｄ、６６３Ｅ、及び６６３Ｆの各カウント値は、起動時に「０」にセットされる。
【００４４】
そしてまた、図８に示すように、ＲＯＭ６６２には、後述のように、ハズレスクランブルリーチ又は大当たりスクランブルリーチのリーチ表示パターンの際に液晶表示器１９に表示する各図柄（本実施形態では、コーヒーカップの図柄や煙図柄など）の図柄データが格納されるスクランブル図柄データ記憶エリア６６２Ａが設けられている。また、ＲＯＭ６６２には、後述のようにハズレスクランブルリーチ又は大当たりスクランブルリーチのリーチ表示の際に、各図柄が移動する液晶表示器１９の表示領域外を含む移動エリア領域７７（図１３参照）を記憶する移動領域記憶エリア６６２Ｂが設けられている。また、ＲＯＭ６６２には、後述のハズレスクランブルリーチ初期位置テーブル７８（図１４参照）と大当たりスクランブルリーチ初期位置テーブル７９（図１５参照）とが格納される最初の表示位置記憶エリア６６２Ｃが設けられている。また、ＲＯＭ６６２には、後述のハズレスクランブルリーチ最終停止位置テーブル８１（図１６参照）と大当たりスクランブルリーチ最終停止位置テーブル８２（図１７参照）とが格納される最終停止位置記憶エリア６６２Ｄが設けられている。また、ＲＯＭ６６２には、後述のハズレスクランブルリーチ移動回数テーブル８４（図１８参照）が格納されるハズレスクランブルリーチ移動回数記憶エリア６６２Ｅが設けられている。また、ＲＯＭ６６２には、後述の大当たりスクランブルリーチ移動回数テーブル８５（図１９参照）が格納される大当たりスクランブルリーチ移動回数記憶エリア６６２Ｆが設けられている。
【００４５】
そして、主基板４６のＣＰＵ４６１は、ＲＯＭ４６２に予め格納されているパラメータや制御プログラムに従って、入出力回路４６４を介して入力される入力信号等に基づいて、各種制御信号を該入出力回路４６４を介して音制御基板６４、ランプ制御基板６５、及び表示制御基板６６等に対して出力する。
【００４６】
次に、主基板４６のＲＯＭ４６２のハズレリーチパターンテーブル記憶エリア４６２Ａに記憶されるハズレリーチパターンテーブル７１について図９に基づいて説明する。
図９に示すように、リーチハズレの際に表示するハズレリーチ表示パターンを選択する場合に使用するハズレリーチパターンテーブル７１は、大当たりカウンタ４６３Ａのカウント値を表す「大当たりカウント値」と、この「大当たりカウント値」に対応する「ハズレ時リーチ表示パターン」とから構成されている。
また、ハズレリーチパターンテーブル７１の「大当たりカウント値」には、「１１〜３９」、「４０〜４２」、「４３〜４６」の３種類の大当たりカウント値が予め登録されている。
また、ハズレリーチパターンテーブル７１の「ハズレ時リーチ表示パターン」には、「大当たりカウント値」の「１１〜３９」に対応して「ハズレノーマルリーチ」、「４０〜４２」に対応して「ハズレロングリーチ」、「４３〜４６」に対応して「ハズレスクランブルリーチ」が格納されている。これらの「ハズレノーマルリーチ」、「ハズレロングリーチ」、「ハズレスクランブルリーチ」は、ハズレリーチ、即ち、中図柄が左右の図柄と異なる特定図柄で停止するリーチ表示パターンである。
【００４７】
次に、主基板４６のＲＯＭ４６２の大当たりリーチパターンテーブル記憶エリア４６２Ｂに記憶される大当たりリーチパターンテーブル７２について図１０に基づいて説明する。
図１０に示すように、大当たりの際に表示する大当たりリーチ表示パターンを選択する場合に使用する大当たりリーチパターンテーブル７２は、リーチカウンタ４６３Ｆのカウント値を表す「リーチカウント値」と、この「リーチカウント値」に対応する「大当たり時リーチ表示パターン」とから構成されている。
また、大当たりリーチパターンテーブル７２の「リーチカウント値」には、「０〜１５」、「１６〜６０」、「６１〜１９９」の３種類のリーチカウント値が予め登録されている。
また、大当たりリーチパターンテーブル７２の「大当たり時リーチ表示パターン」には、「リーチカウント値」の「０〜１５」に対応して「大当たりノーマルリーチ」、「１６〜６０」に対応して「大当たりロングリーチ」、「６１〜１９９」に対応して「大当たりスクランブルリーチ」が格納されている。これらの「大当たりノーマルリーチ」、「大当たりロングリーチ」、「大当たりスクランブルリーチ」は、大当たりリーチ、即ち、中図柄が左右の図柄と同じ特定図柄で停止するリーチ表示パターンである。
【００４８】
尚、ハズレリーチパターンテーブル７１及び大当たりリーチパターンテーブル７２の「ハズレノーマルリーチ」と「大当たりノーマルリーチ」は、左図柄と右図柄とが揃って仮停止して、中図柄のみが約５秒間変動表示されるリーチ表示パターンである。また、該各テーブル７１、７２の「ハズレロングリーチ」と「大当たりロングリーチ」は、左図柄と右図柄とが揃って仮停止して、中図柄のみが約１０秒間変動表示されるリーチ表示パターンである。また、該各テーブル７１、７２の「ハズレスクランブルリーチ」と「大当たりスクランブルリーチ」は、後述のように、左図柄と右図柄とが揃って仮停止した後、該左図柄と右図柄とが左上角部に移動し、画面中央部左右に２個のコーヒーカップが表示され、左側又は右側の一方のコーヒーカップに大当たりを構成する特定図柄が入り、他方のコーヒーカップに特定図柄より「１」多い特定図柄（即ち、次の順番の特定図柄）又は特定図柄より「１」少ない特定図柄（一つ手前の順番の特定図柄、即ち、後の順番の特定図柄）が入って、各コーヒーカップが約１０秒乃至１５秒間、ランダムな位置に順次移動表示されるリーチ表示パターンである。
【００４９】
次に、主基板４６のＲＯＭ４６２のハズレ変動パターンテーブル記憶エリア４６２Ｃに記憶されるハズレスクランブルリーチパターンテーブル７５について図１１に基づいて説明する。
図１１に示すように、ハズレスクランブルリーチのリーチ表示パターンの場合に、後述のように該ハズレスクランブルリーチの変動パターンを決定する際に選択されるハズレスクランブルリーチパターンテーブル７５は、大当たりカウンタ４６３Ａのカウント値を表す「大当たりカウント値」と、この「大当たりカウント値」に対応する「ハズレスクランブルリーチ」とから構成されている。
また、ハズレスクランブルリーチパターンテーブル７５の「大当たりカウント値」には、「４３」、「４４」、「４５」、「４６」の４種類の大当たりカウント値が予め登録されている。
また、ハズレスクランブルリーチパターンテーブル７５の「ハズレスクランブルリーチ」には、「大当たりカウント値」の「４３」に対応して「ハズレスクランブルリーチＡ」、「４４」に対応して「ハズレスクランブルリーチＢ」、「４５」に対応して「ハズレスクランブルリーチＣ」、「４６」に対応して「ハズレスクランブルリーチＤ」が格納されている。
【００５０】
次に、主基板４６のＲＯＭ４６２の大当たり変動パターンテーブル記憶エリア４６２Ｄに記憶される大当たりスクランブルリーチパターンテーブル７６について図１２に基づいて説明する。
図１２に示すように、大当たりスクランブルリーチのリーチ表示パターンの場合に、後述のように該大当たりスクランブルリーチの変動パターンを決定する際に選択される大当たりスクランブルリーチパターンテーブル７６は、大当たり変動パターン選択カウンタ４６３Ｅのカウント値を表す「大当たり変動パターンカウント値」と、この「大当たり変動パターンカウント値」に対応する「大当たりスクランブルリーチ」とから構成されている。
また、大当たりスクランブルリーチパターンテーブル７６の「大当たり変動パターンカウント値」には、「０」、「１」、「２」、「３」の４種類の大当たり変動パターン選択カウント値が予め登録されている。
また、大当たりスクランブルリーチパターンテーブル７６の「大当たりスクランブルリーチ」には、「大当たり変動パターンカウント値」の「０」に対応して「大当たりスクランブルリーチＡ」、「１」に対応して「大当たりスクランブルリーチＢ」、「２」に対応して「大当たりスクランブルリーチＣ」、「３」に対応して「大当たりスクランブルリーチＤ」が格納されている。
【００５１】
次に、表示制御基板６６のＲＯＭ６６２の移動領域記憶エリア６６２Ｂに格納される移動エリア領域７７の一例を図１３に基づいて説明する。
図１３に示すように、この移動エリア領域７７は、後述のように「ハズレスクランブルリーチ」又は「大当たりスクランブルリーチ」のリーチ表示パターンの場合に、左図柄と右図柄とが揃って仮停止すると共に、中図柄が変動した状態の後、該左図柄と右図柄とが左上角部に移動し、画面中央部左右に２個のコーヒーカップが表示され、この各コーヒーカップが移動する仮想領域である。この移動エリア領域７７のＸ座標は、０〜７で、該移動エリア領域７７のＹ座標は、０〜１１に予め設定されている。また、この移動エリア領域７７内のＸ座標が１〜５で、且つ、Ｙ座標が１〜９の仮想領域が、液晶表示器１９の表示領域に対応している。
従って、後述のように各コーヒーカップに対して選択された表示位置が、Ｘ座標が１〜５で、且つ、Ｙ座標が１〜９の場合は、図１３に示す液晶表示器１９の表示領域の各対応する位置座標に移動表示される。一方、後述のように各コーヒーカップに対して選択された位置座標が、（０，０）、（０，１）、（０，２）〜（０，１１）、（１，０）、（２，０）、（３，０）〜（５，０）、（１，１０）、（２，１０）、（３，１０）〜（５，１０）、（１，１１）、（２，１１）、（３，１１）〜（５，１１）、（６，０）、（６，１）、（６，２）〜（６，１１）、（７，０）、（７，１）、（７，２）〜（７，１１）の５１個の位置座標の場合には、液晶表示器１９の表示領域外の各対応する位置座標に移動するように表示される、即ち、各対応する位置座標に向かって移動して表示画面内から消えるように表示される。
また、移動エリア領域７７の（０，０）、（０，１）、（０，２）〜（０，１１）、（１，０）、（２，０）、（３，０）〜（５，０）、（１，１０）、（２，１０）、（３，１０）〜（５，１０）、（１，１１）、（２，１１）、（３，１１）〜（５，１１）、（６，０）、（６，１）、（６，２）〜（６，１１）、（７，０）、（７，１）、（７，２）〜（７，１１）の５１個の位置座標は、この順番で、ＲＡＭ６６３の表示領域外座標選択カウンタ６６３Ｆの各カウント値０〜５０に対応している。例えば、表示領域外座標選択カウンタ６６３Ｆのカウント値「０」は、移動エリア領域７７の位置座標（０，０）に対応している。また、表示領域外座標選択カウンタ６６３Ｆのカウント値「１」は、移動エリア領域７７の位置座標（０，１）に対応している。また、表示領域外座標選択カウンタ６６３Ｆのカウント値「２」は、移動エリア領域７７の位置座標（０，２）に対応している。そしてまた、同様に、表示領域外座標選択カウンタ６６３Ｆのカウント値「５０」は、移動エリア領域７７の位置座標（７，１１）に対応している。
【００５２】
次に、表示制御基板６６のＲＯＭ６６２の最初の表示位置記憶エリア６６２Ｃに記憶されるハズレスクランブルリーチ初期位置テーブル７８について図１４に基づいて説明する。
図１４に示すように、ハズレスクランブルリーチのリーチ表示パターンの場合に、後述のように液晶表示器１９の表示画面に表示された２個のコーヒーカップのそれぞれに隠される特定図柄と該各コーヒカップを最初に表示する位置とを決定する際に選択されるハズレスクランブルリーチ初期位置テーブル７８は、ハズレスクランブルリーチのリーチ表示パターンの種類を表す「パターン種類」と、この「パターン種類」に対応する「左側図柄と初期座標位置」と、この「パターン種類」に対応する「右側図柄と初期座標位置」とから構成されている。
また、ハズレスクランブルリーチ初期位置テーブル７８の「パターン種類」には、「ハズレスクランブルリーチＡ」、「ハズレスクランブルリーチＢ」、「ハズレスクランブルリーチＣ」、「ハズレスクランブルリーチＤ」の４種類のリーチ表示パターンが予め登録されている。
【００５３】
また、ハズレスクランブルリーチ初期位置テーブル７８の「左側図柄と初期座標位置」には、後述のように液晶表示器１９の表示画面に表示された左側のコーヒーカップに隠される特定図柄と該左側のコーヒカップを最初に表示する座標位置との各データが格納されている。例えば、「パターン種類」の「ハズレスクランブルリーチＡ」と「ハズレスクランブルリーチＣ」とに対応する「左側図柄と初期座標位置」には、左側のコーヒーカップには、「大当たり」が発生する特定図柄が隠されて、該左側のコーヒーカップが最初に表示される座標位置が（２，３）を表す「特定図柄：（２，３）」のデータが予め登録されている。また、「パターン種類」の「ハズレスクランブルリーチＢ」と「ハズレスクランブルリーチＤ」とに対応する「左側図柄と初期座標位置」には、左側のコーヒーカップには、「大当たり」が発生する特定図柄の後の順番の特定図柄、即ち、一つ手前の特定図柄が隠されて、該左側のコーヒーカップが最初に表示される座標位置が（２，３）を表す「後順特定図柄：（２，３）」のデータが格納されている。
【００５４】
また、ハズレスクランブルリーチ初期位置テーブル７８の「右側図柄と初期座標位置」には、後述のように液晶表示器１９の表示画面に表示された右側のコーヒーカップに隠される特定図柄と該右側のコーヒカップを最初に表示する座標位置との各データが格納されている。例えば、「パターン種類」の「ハズレスクランブルリーチＡ」と「ハズレスクランブルリーチＣ」とに対応する「右側図柄と初期座標位置」には、右側のコーヒーカップには、「大当たり」が発生する特定図柄の次の順番の特定図柄が隠されて、該右側のコーヒーカップが最初に表示される座標位置が（４，３）を表す「次順特定図柄：（４，３）」のデータが格納されている。また、「パターン種類」の「ハズレスクランブルリーチＢ」と「ハズレスクランブルリーチＤ」とに対応する「右側図柄と初期座標位置」には、右側のコーヒーカップには、「大当たり」が発生する特定図柄が隠されて、該右側のコーヒーカップが最初に表示される座標位置が（４，３）を表す「特定図柄：（４，３）」のデータが格納されている。
【００５５】
次に、表示制御基板６６のＲＯＭ６６２の最初の表示位置記憶エリア６６２Ｃに記憶される大当たりスクランブルリーチ初期位置テーブル７９について図１５に基づいて説明する。
図１５に示すように、大当たりスクランブルリーチのリーチ表示パターンの場合に、後述のように液晶表示器１９の表示画面に表示された２個のコーヒーカップのそれぞれに隠される特定図柄と該各コーヒカップを最初に表示する位置とを決定する際に選択される大当たりスクランブルリーチ初期位置テーブル７９は、大当たりスクランブルリーチのリーチ表示パターンの種類を表す「パターン種類」と、この「パターン種類」に対応する「左側図柄と初期座標位置」と、この「パターン種類」に対応する「右側図柄と初期座標位置」とから構成されている。
また、大当たりスクランブルリーチ初期位置テーブル７９の「パターン種類」には、「大当たりスクランブルリーチＡ」、「大当たりスクランブルリーチＢ」、「大当たりスクランブルリーチＣ」、「大当たりスクランブルリーチＤ」の４種類のリーチ表示パターンが予め登録されている。
【００５６】
また、大当たりスクランブルリーチ初期位置テーブル７９の「左側図柄と初期座標位置」には、後述のように液晶表示器１９の表示画面に表示された左側のコーヒーカップに隠される特定図柄と該左側のコーヒカップを最初に表示する座標位置との各データが格納されている。例えば、「パターン種類」の「大当たりスクランブルリーチＡ」と「大当たりスクランブルリーチＣ」とに対応する「左側図柄と初期座標位置」には、左側のコーヒーカップには、「大当たり」が発生する特定図柄が隠されて、該左側のコーヒーカップが最初に表示される座標位置が（２，３）を表す「特定図柄：（２，３）」のデータが格納されている。また、「パターン種類」の「大当たりスクランブルリーチＢ」と「大当たりスクランブルリーチＤ」とに対応する「左側図柄と初期座標位置」には、左側のコーヒーカップには、「大当たり」が発生する特定図柄の後の順番の特定図柄、即ち、一つ手前の特定図柄が隠されて、該左側のコーヒーカップが最初に表示される座標位置が（２，３）を表す「後順特定図柄：（２，３）」のデータが格納されている。
【００５７】
また、大当たりスクランブルリーチ初期位置テーブル７９の「右側図柄と初期座標位置」には、後述のように液晶表示器１９の表示画面に表示された右側のコーヒーカップに隠される特定図柄と該右側のコーヒカップを最初に表示する座標位置との各データが格納されている。例えば、「パターン種類」の「大当たりスクランブルリーチＡ」と「大当たりスクランブルリーチＣ」とに対応する「右側図柄と初期座標位置」には、右側のコーヒーカップには、「大当たり」が発生する特定図柄の次の順番の特定図柄が隠されて、該右側のコーヒーカップが最初に表示される座標位置が（４，３）を表す「次順特定図柄：（４，３）」のデータが格納されている。また、「パターン種類」の「大当たりスクランブルリーチＢ」と「大当たりスクランブルリーチＤ」とに対応する「右側図柄と初期座標位置」には、右側のコーヒーカップには、「大当たり」が発生する特定図柄が隠されて、該右側のコーヒーカップが最初に表示される座標位置が（４，３）を表す「特定図柄：（４，３）」のデータが格納されている。
【００５８】
次に、表示制御基板６６のＲＯＭ６６２の最終停止位置記憶エリア６６２Ｄに記憶されるハズレスクランブルリーチ最終停止位置テーブル８１について図１６に基づいて説明する。
図１６に示すように、ハズレスクランブルリーチのリーチ表示パターンの場合に、後述のように液晶表示器１９の表示画面に表示された２個のコーヒーカップの最終停止位置を決定する際に選択されるハズレスクランブルリーチ最終停止位置テーブル８１は、ハズレスクランブルリーチのリーチ表示パターンの種類を表す「パターン種類」と、この「パターン種類」に対応する「左側図柄の最終座標位置」と、この「パターン種類」に対応する「右側図柄の最終座標位置」とから構成されている。
また、ハズレスクランブルリーチ最終停止位置テーブル８１の「パターン種類」には、「ハズレスクランブルリーチＡ」、「ハズレスクランブルリーチＢ」、「ハズレスクランブルリーチＣ」、「ハズレスクランブルリーチＤ」の４種類のリーチ表示パターンが予め登録されている。
【００５９】
また、ハズレスクランブルリーチ最終停止位置テーブル８１の「左側図柄の最終座標位置」には、後述のように液晶表示器１９の表示画面に表示された左側のコーヒーカップを最後に停止させる座標位置のデータが格納されている。また、ハズレスクランブルリーチ最終停止位置テーブル８１の「右側図柄の最終座標位置」には、後述のように液晶表示器１９の表示画面に表示された右側のコーヒーカップを最後に停止させる座標位置のデータが格納されている。
例えば、「パターン種類」の「ハズレスクランブルリーチＡ」と「ハズレスクランブルリーチＣ」とに対応する「左側図柄の最終座標位置」には、左側のコーヒーカップの最終停止位置として、液晶表示器１９の表示領域外に対応する移動エリア領域７７の５１個の座標位置からランダムな一の座標位置を選択し、この選択した表示領域外の座標位置を最終停止位置の座標データとすることを表す「表示領域外」のデータが格納されている（図２１参照）。従って、該左側のコーヒーカップは、最終的に液晶表示器１９の表示領域外に移動して停止するように表示される。また、この「ハズレスクランブルリーチＡ」と「ハズレスクランブルリーチＣ」とに対応する「右側図柄の最終座標位置」には、右側のコーヒーカップの停止表示される座標位置は、液晶表示器１９の表示領域のほぼ中央位置に対応する移動エリア領域７７の座標位置（３，５）を最終停止位置の座標データとすることを表す「（３，５）」のデータが格納されている（図２１参照）。従って、該右側のコーヒーカップは、最終的に液晶表示器１９のほぼ中央位置に移動して停止するように表示される。
【００６０】
また、「パターン種類」の「ハズレスクランブルリーチＢ」と「ハズレスクランブルリーチＤ」とに対応する「左側図柄の最終座標位置」には、左側のコーヒーカップの停止表示される座標位置は、液晶表示器１９の表示領域のほぼ中央位置に対応する移動エリア領域７７の座標位置（３，５）を最終停止位置の座標データとすることを表す「（３，５）」のデータが格納されている（図２１参照）。従って、該左側のコーヒーカップは、最終的に液晶表示器１９のほぼ中央位置に移動して停止するように表示される。また、この「ハズレスクランブルリーチＢ」と「ハズレスクランブルリーチＤ」とに対応する「右側図柄の最終座標位置」には、右側のコーヒーカップの最終停止位置として、液晶表示器１９の表示領域外に対応する移動エリア領域７７の５１個の座標位置からランダムな一の座標位置を選択し、この選択した表示領域外の座標位置を最終停止位置の座標データとすることを表す「表示領域外」のデータが格納されている（図２１参照）。従って、該右側のコーヒーカップは、最終的に液晶表示器１９の表示領域外に移動して停止するように表示される。
【００６１】
次に、表示制御基板６６のＲＯＭ６６２の最終停止位置記憶エリア６６２Ｄに記憶される大当たりスクランブルリーチ最終停止位置テーブル８２について図１７に基づいて説明する。
図１７に示すように、大当たりスクランブルリーチのリーチ表示パターンの場合に、後述のように液晶表示器１９の表示画面に表示された２個のコーヒーカップの最終停止位置を決定する際に選択される大当たりスクランブルリーチ最終停止位置テーブル８２は、大当たりスクランブルリーチのリーチ表示パターンの種類を表す「パターン種類」と、この「パターン種類」に対応する「左側図柄の最終座標位置」と、この「パターン種類」に対応する「右側図柄の最終座標位置」とから構成されている。
また、大当たりスクランブルリーチ最終停止位置テーブル８２の「パターン種類」には、「大当たりスクランブルリーチＡ」、「大当たりスクランブルリーチＢ」、「大当たりスクランブルリーチＣ」、「大当たりスクランブルリーチＤ」の４種類のリーチ表示パターンが予め登録されている。
【００６２】
また、大当たりスクランブルリーチ最終停止位置テーブル８２の「左側図柄の最終座標位置」には、後述のように液晶表示器１９の表示画面に表示された左側のコーヒーカップを最後に停止させる座標位置のデータが格納されている。また、大当たりスクランブルリーチ最終停止位置テーブル８２の「右側図柄の最終座標位置」には、後述のように液晶表示器１９の表示画面に表示された右側のコーヒーカップを最後に停止させる座標位置のデータが格納されている。
例えば、「パターン種類」の「大当たりスクランブルリーチＡ」と「大当たりスクランブルリーチＣ」とに対応する「左側図柄の最終座標位置」には、左側のコーヒーカップの停止表示される座標位置は、液晶表示器１９の表示領域のほぼ中央位置に対応する移動エリア領域７７の座標位置（３，５）を最終停止位置の座標データとすることを表す「（３，５）」のデータが格納されている（図２１参照）。従って、該左側のコーヒーカップは、最終的に液晶表示器１９のほぼ中央位置に移動して停止するように表示される。また、この「大当たりスクランブルリーチＡ」と「大当たりスクランブルリーチＣ」とに対応する「右側図柄の最終座標位置」には、右側のコーヒーカップの最終停止位置として、液晶表示器１９の表示領域外に対応する移動エリア領域７７の５１個の座標位置からランダムな一の座標位置を選択し、この選択した表示領域外の座標位置を最終停止位置の座標データとすることを表す「表示領域外」のデータが格納されている（図２１参照）。従って、該右側のコーヒーカップは、最終的に液晶表示器１９の表示領域外に移動して停止するように表示される。
【００６３】
また、「パターン種類」の「大当たりスクランブルリーチＢ」と「大当たりスクランブルリーチＤ」とに対応する「左側図柄の最終座標位置」には、左側のコーヒーカップの最終停止位置として、液晶表示器１９の表示領域外に対応する移動エリア領域７７の５１個の座標位置からランダムな一の座標位置を選択し、この選択した表示領域外の座標位置を最終停止位置の座標データとすることを表す「表示領域外」のデータが格納されている（図２１参照）。従って、該左側のコーヒーカップは、最終的に液晶表示器１９の表示領域外に移動して停止するように表示される。また、この「大当たりスクランブルリーチＢ」と「大当たりスクランブルリーチＤ」とに対応する「右側図柄の最終座標位置」には、右側のコーヒーカップの停止表示される座標位置は、液晶表示器１９の表示領域のほぼ中央位置に対応する移動エリア領域７７の座標位置（３，５）を最終停止位置の座標データとすることを表す「（３，５）」のデータが格納されている（図２１参照）。従って、該右側のコーヒーカップは、最終的に液晶表示器１９のほぼ中央位置に移動して停止するように表示される。
【００６４】
次に、表示制御基板６６のＲＯＭ６６２のハズレスクランブル移動回数記憶エリア６６２Ｅに記憶されるハズレスクランブルリーチ移動回数テーブル８４について図１９に基づいて説明する。
図１９に示すように、ハズレスクランブルリーチのリーチ表示パターンの場合に、後述のように液晶表示器１９の表示画面に表示された２個のコーヒーカップのそれぞれの最初に表示された位置から最終停止位置の一回前の停止位置まで移動する回数を決定する際に選択されるハズレスクランブルリーチ移動回数テーブル８４は、ハズレスクランブルリーチのリーチ表示パターンの種類を表す「パターン種類」と、この「パターン種類」に対応する「移動回数」とから構成されている。
また、ハズレスクランブルリーチ移動回数テーブル８４の「パターン種類」には、「ハズレスクランブルリーチＡ」、「ハズレスクランブルリーチＢ」、「ハズレスクランブルリーチＣ」、「ハズレスクランブルリーチＤ」の４種類のリーチ表示パターンが予め登録されている。
また、ハズレスクランブルリーチ移動回数テーブル８４の「移動回数」には、「パターン種類」の「ハズレスクランブルリーチＡ」に対応して「４回」、「パターン種類」の「ハズレスクランブルリーチＢ」に対応して「４回」、「パターン種類」の「ハズレスクランブルリーチＣ」に対応して「７回」、「パターン種類」の「ハズレスクランブルリーチＤ」に対応して「７回」が格納されている。
【００６５】
次に、表示制御基板６６のＲＯＭ６６２の大当たりスクランブル移動回数記憶エリア６６２Ｆに記憶される大当たりスクランブルリーチ移動回数テーブル８５について図１８に基づいて説明する。
図１８に示すように、大当たりクランブルリーチのリーチ表示パターンの場合に、後述のように液晶表示器１９の表示画面に表示された２個のコーヒーカップのそれぞれの最初に表示された位置から最終停止位置の一回前の停止位置まで移動する回数を決定する際に選択される大当たりスクランブルリーチ移動回数テーブル８５は、大当たりスクランブルリーチのリーチ表示パターンの種類を表す「パターン種類」と、この「パターン種類」に対応する「移動回数」とから構成されている。
また、大当たりスクランブルリーチ移動回数テーブル８５の「パターン種類」には、「大当たりスクランブルリーチＡ」、「大当たりスクランブルリーチＢ」、「大当たりスクランブルリーチＣ」、「大当たりスクランブルリーチＤ」の４種類のリーチ表示パターンが予め登録されている。
また、大当たりスクランブルリーチ移動回数テーブル８５の「移動回数」には、「パターン種類」の「大当たりスクランブルリーチＡ」に対応して「４回」、「パターン種類」の「大当たりスクランブルリーチＢ」に対応して「４回」、「パターン種類」の「大当たりスクランブルリーチＣ」に対応して「７回」、「パターン種類」の「大当たりスクランブルリーチＤ」に対応して「７回」が格納されている。
【００６６】
次に、このように構成された主基板４６及び表示制御基板６６のリーチハズレ等の表示制御処理について図２０乃至図２９に基づいて説明する。
図２０に示すように、先ず、ステップ（以下、Ｓという）１において、ＣＰＵ４６１は、始動口３１のパチンコ球の入賞、即ち始動口スイッチからのパチンコ球の検出信号が、入出力回路（Ｉ／Ｏ）４６４を介して入力された場合には、始動口３１にパチンコ球が入ったと判断し（図２４（Ａ）参照）、始動口スイッチからパチンコ球の検出信号が入力された時の大当たりカウンタ４６３Ａに記憶されている数値をその時の「大当たりカウント値」として代数Ｖに代入してパラメータ記憶エリア４６３Ｋに記憶する。従って、この代数Ｖには「０」〜「３５９」のいずれかの数値が代入されてパラメータ記憶エリア４６３Ｋに記憶される。
また、同時に、ＣＰＵ４６１は、始動口スイッチから入賞の信号が入力されたときの普通図柄カウンタ４６３Ｂに記憶されている数値をその時の「普通図柄カウント値」として代数Ｕに代入してパラメータ記憶エリア４６３Ｋに記憶する。従って、この代数Ｕには「０」〜「９」のいずれかの数値が代入されてパラメータ記憶エリア４６３Ｋに記憶される。
【００６７】
また、同時に、ＣＰＵ４６１は、始動口スイッチから入賞の信号が入力されたときの第１保留カウンタ４６３Ｃに記憶されている数値をその時の「第１保留カウント値」として代数Ｗ１に代入してパラメータ記憶エリア４６３Ｋに記憶する。従って、この代数Ｗ１には「０」〜「４」のいずれかの数値が代入されてパラメータ記憶エリア４６３Ｋに記憶される。
また、同時に、ＣＰＵ４６１は、始動口スイッチから入賞の信号が入力されたときの第２保留カウンタ４６３Ｄに記憶されている数値をその時の「第２保留カウント値」として代数Ｗ２に代入してパラメータ記憶エリア４６３Ｋに記憶する。従って、この代数Ｗ２には「０」〜「４」のいずれかの数値が代入されてパラメータ記憶エリア４６３Ｋに記憶される。
【００６８】
また、同時に、ＣＰＵ４６１は、始動口スイッチから入賞の信号が入力されたときの大当たり変動パターン選択カウンタ４６３Ｅに記憶されている数値をその時の「変動パターン選択カウント値」として代数Ｍに代入してパラメータ記憶エリア４６３Ｋに記憶する。従って、この代数Ｍには「０」〜「３」のいずれかの数値が代入されてパラメータ記憶エリア４６３Ｋに記憶される。
また、同時に、ＣＰＵ４６１は、始動口スイッチから入賞の信号が入力されたときのリーチカウンタ４６３Ｆに記憶されている数値をその時の「リーチカウント値」として代数Ｎに代入してパラメータ記憶エリア４６３Ｋに記憶する。従って、この代数Ｎには「０」〜「１９９」のいずれかの数値が代入されてパラメータ記憶エリア４６３Ｋに記憶される。
【００６９】
また、同時に、ＣＰＵ４６１は、始動口スイッチから入賞の信号が入力されたときの大当たり図柄選択カウンタ４６３Ｇに記憶されている数値をその時の「大当たり図柄選択カウント値」として代数Ｙに代入してパラメータ記憶エリア４６３Ｋに記憶する。従って、この代数Ｙには「０」〜「８」のいずれかの数値が代入されてパラメータ記憶エリア４６３Ｋに記憶される。
また、同時に、ＣＰＵ４６１は、始動口スイッチから入賞の信号が入力されたときの普通図柄選択カウンタ４６３Ｈに記憶されている数値をその時の「普通図柄選択カウント値」として代数Ｘに代入してパラメータ記憶エリア４６３Ｋに記憶する。従って、この代数Ｘには「０」〜「３」のいずれかの数値が代入されてパラメータ記憶エリア４６３Ｋに記憶される。
【００７０】
また、同時に、ＣＰＵ４６１は、始動口スイッチから入賞の信号が入力されたときのハズレ図柄選択カウンタ４６３Ｉに記憶されている数値をその時の「ハズレ図柄選択カウント値」として代数Ｉに代入してパラメータ記憶エリア４６３Ｋに記憶する。従って、この代数Ｉには「０」〜「２００」のいずれかの数値が代入されてパラメータ記憶エリア４６３Ｋに記憶される。
更に、同時に、ＣＰＵ４６１は、始動口スイッチから入賞の信号が入力されたときのリーチ図柄選択カウンタ４６３Ｊに記憶されている数値をその時の「リーチ図柄選択カウント値」として代数Ｆに代入してパラメータ記憶エリア４６３Ｋに記憶する。従って、この代数Ｆには「０」〜「１４３」のいずれかの数値が代入されてパラメータ記憶エリア４６３Ｋに記憶される。
尚、液晶表示器１９に表示される変動図柄の変動中に始動口３１に入賞したパチンコ球の各入賞時の上記各カウント値がパラメータ記憶エリア４６３Ｋに記憶されて、順次後述のＳ２以降の処理が実行される。
【００７１】
次に、Ｓ２において、ＣＰＵ４６１は「大当たり」が発生したか否かを判定する判定処理を実行する。
この「大当たり」が発生したか否かの判定処理は、先ず、パラメータ記憶エリア４６３Ｋから「大当たりカウント値」としての代数Ｖを読み出す。そして、この代数Ｖが、ＲＯＭ４６２に記憶されている「大当たり数値」（例えば、通常の遊技状態の遊技には、「７」で、高確率状態、即ち確率変動モードの遊技状態の場合には、「１、３、５、７」である。）と一致するかどうか判定する。
従って、通常の遊技状態の場合には、「大当たり」の発生確率は、１／３６０である。また、確率変動モードの遊技状態の場合には、「大当たり」の発生確率は、４／３６０である。これにより、確率変動モードの遊技状態の場合には、「大当たり」になる確率が、通常の遊技状態の場合の約４倍になる。
【００７２】
そして、パラメータ記憶エリア４６３Ｋから読み出した「大当たりカウント値」としての代数Ｖが「大当たり数値」と一致すれば、「大当たり」が発生したと判定され（Ｓ２：ＹＥＳ）、Ｓ３において、「大当たり変動処理」が実行される。
この「大当たり変動処理」は、先ず、ＣＰＵ４６１は、「大当たり」の変動パターンを選択して、この選択した変動パターンを表示制御基板６６のＣＰＵ６６１に指示する。即ち、ＣＰＵ４６１は、パラメータ記憶エリア４６３Ｋに記憶されるリーチカウント値としての代数Ｎを読み出し、この代数Ｎを大当たりリーチパターンテーブル記憶エリア４６２Ｂに記憶される大当たりリーチパターンテーブル７２の「リーチカウント値」として、対応する「大当り時リーチ表示パターン」を読み出し、この「大当り時リーチ表示パターン」を「変動表示パターン」として表示制御基板６６のＣＰＵ６６１に指示する。従って、パラメータ記憶エリア４６２Ｋから読み出した代数Ｎが「０〜１５」の場合には、「変動表示パターン」として「大当たりノーマルリーチ」が表示制御基板６６のＣＰＵ６６１に指示される。また、パラメータ記憶エリア４６２Ｋから読み出した代数Ｎが「１６〜６０」の場合には、「変動表示パターン」として「大当たりロングリーチ」が表示制御基板６６のＣＰＵ６６１に指示される。また、パラメータ記憶エリア４６２Ｋから読み出した代数Ｎが「６１〜１９９」の場合には、「変動表示パターン」として「大当たりスクランブルリーチ」が表示制御基板６６のＣＰＵ６６１に指示される。
【００７３】
また、この「変動表示パターン」として「大当たりスクランブルリーチ」を選択した場合には、ＣＰＵ４６１は、パラメータ記憶エリア４６３Ｋに記憶される大当たり変動パターン選択カウント値としての代数Ｍを読み出し、この代数Ｍを大当たり変動パターンテーブル記憶エリア４６２Ｄに記憶される大当たりスクランブルリーチパターンテーブル７６の「大当たり変動パターンカウント値」として、対応する「大当たりスクランブルリーチ」を読み出し（第１確率）、この「大当たりスクランブルリーチ」を、「変動表示パターン」と共に表示制御基板６６のＣＰＵ６６１に指示する。従って、パラメータ記憶エリア４６２Ｋから読み出した代数Ｍが「０」の場合には、「変動表示パターン」と共に「パターン種類」として「大当たりスクランブルリーチＡ」が表示制御基板６６のＣＰＵ６６１に指示される。また、パラメータ記憶エリア４６２Ｋから読み出した代数Ｍが「１」の場合には、「変動表示パターン」と共に「パターン種類」として「大当たりスクランブルリーチＢ」が表示制御基板６６のＣＰＵ６６１に指示される。また、パラメータ記憶エリア４６２Ｋから読み出した代数Ｍが「２」の場合には、「変動表示パターン」と共に「パターン種類」として「大当たりスクランブルリーチＣ」が表示制御基板６６のＣＰＵ６６１に指示される。また、パラメータ記憶エリア４６２Ｋから読み出した代数Ｍが「３」の場合には、「変動表示パターン」と共に「パターン種類」として「大当たりスクランブルリーチＤ」が表示制御基板６６のＣＰＵ６６１に指示される。
【００７４】
次に、この「大当たりノーマルリーチ」、「大当たりロングリーチ」、「大当たりスクランブルリーチ」のいずれかの「変動表示パターン」を指示された表示制御基板６６のＣＰＵ６６１が実行する図柄変動表示処理について説明する。尚、表示制御基板６６のＣＰＵ６６１は、この指示された「大当たりノーマルリーチ」、「大当たりロングリーチ」、「大当たりスクランブルリーチ」のいずれかの「変動表示パターン」にしたがって変動表示を行う。
【００７５】
ここで、「大当たりスクランブルリーチ」の「変動表示パターン」を指示された表示制御基板６６のＣＰＵ６６１が実行する図柄変動表示処理について図２１に基づいて説明する。
図２１に示すように、表示制御基板６６のＣＰＵ６６１は、Ｓ３１において、図柄変動開始指示があるまで待つ（Ｓ３１：ＮＯ）。
そして、「大当たりスクランブルリーチ」の図柄変動開始指示があった場合には（Ｓ３１：ＹＥＳ）、ＣＰＵ６６１は、同時に指示された「大当たりスクランブルリーチＡ」、「大当たりスクランブルリーチＢ」、「大当たりスクランブルリーチＣ」、「大当たりスクランブルリーチＤ」のいずれかを「パターン種類」としてＲＡＭ６６３に記憶する。
続いて、Ｓ３２において、ＣＰＵ６６１は、液晶表示器１９に表示されている左・中・右図柄の変動開始後、ベースカウンタ６６３Ａのカウント値を所定時間間隔（本実施形態では、約０．１ｍｓｅｃ〜２ｍｓｅｃ間隔）で順次読み込み、該カウント値が「０」になるのを確認する。
その後、Ｓ３３において、ＣＰＵ６６１は、ベースカウンタ６６３Ａのカウント値が７回「０」になるまで、該ベースカウンタ６６３Ａのカウント値が「０」になる毎に、それぞれにおける左側図柄Ｘカウンタ６６３Ｂ、左側図柄Ｙカウンタ６６３Ｃ、右側図柄Ｘカウンタ６６３Ｄ、右側図柄Ｙカウンタ６６３Ｅの各カウント値を読み込み、パラメータ記憶エリア６６３Ｇに順次記憶する。従って、各カウンタ６６３Ｂ、６６３Ｃ、６６３Ｄ、６６３Ｅのカウント値を１組分として、順次第１組目カウント値、第２組目カウント値、第３組目カウント値、・・・・、第７組目カウント値の７組分のカウント値が順番にパラメータ記憶エリア６６３Ｇに記憶される。
【００７６】
尚、図２２に示すように、ＣＰＵ６６１は、ＲＡＭ６６３の各カウンタ６６３Ａ、６６３Ｂ、６６３Ｃ、６６３Ｄ、６６３Ｅ、６６３Ｆを電源投入時に（Ｓ４１ＹＥＳ）、初期化する（Ｓ４２）。即ち、ＣＰＵ６６１は、電源投入時に各カウンタ６６３Ａ、６６３Ｂ、６６３Ｃ、６６３Ｄ、６６３Ｅ、６６３Ｆに「０」を代入する。その後、ＣＰＵ６６１は、約４ｍｓｅｃ毎に各カウンタ６６３Ａ、６６３Ｂ、６６３Ｃ、６６３Ｄ、６６３Ｅ、６６３Ｆのカウント値に繰り返し「１」加算する。
【００７７】
続いて、Ｓ３４において、ＣＰＵ６６１は、表示領域外座標選択カウンタ６６３Ｆのカウント値を読み込み、「表示領域外座標位置」としてパラメータ記憶エリア６６３Ｇに記憶する。
【００７８】
そして、Ｓ３５において、ＣＰＵ６６１は、後述のように液晶表示器１９の表示画面に２個のコーヒーカップをそれぞれ移動表示するための移動座標位置と該各コーヒーカップに隠される特定図柄とを決定する処理を実行する。
具体的には、先ず、ＣＰＵ６６１は、ＲＡＭ６６３から再度「パターン種類」を読み出し、この「パターン種類」を最初の表示位置記憶エリア６６２Ｃに記憶される大当たりスクランブルリーチ初期位置テーブル７９の「パターン種類」として、対応する「左側図柄と初期座標位置」と「右側図柄と初期座標位置」を読み出し、後述のように液晶表示器１９に表示する２個のコーヒーカップに隠される各特定図柄と初期座標位置を決定し、ＲＡＭ６６３に記憶する。
【００７９】
例えば、「パターン種類」が「大当たりスクランブルリーチＡ」又は「大当たりスクランブルリーチＣ」の場合には、左側のコーヒーカップに隠される特定図柄は、「大当たり」になる特定図柄で、この左側のコーヒーカップの最初に表示される初期座標位置は、移動領域記憶エリア６６２Ｂに格納される移動エリア領域７７（図１３参照）の（２，３）の座標位置である旨がＲＡＭ６６３に記憶される。また、右側のコーヒーカップに隠される特定図柄は、「大当たり」になる特定図柄の次の順番の特定図柄で、この右側のコーヒーカップの最初に表示される初期座標位置は、移動領域記憶エリア６６２Ｂに格納される移動エリア領域７７（図１３参照）の（４，３）の座標位置である旨がＲＡＭ６６３に記憶される。
また、「パターン種類」が「大当たりスクランブルリーチＢ」又は「大当たりスクランブルリーチＤ」の場合には、左側のコーヒーカップに隠される特定図柄は、「大当たり」になる特定図柄の一つ後の特定図柄で、この左側のコーヒーカップの初期座標位置は、移動領域記憶エリア６６２Ｂに格納される移動エリア領域７７の（２，３）の座標位置である旨がＲＡＭ６６３に記憶される。また、右側のコーヒーカップに隠される特定図柄は、「大当たり」になる特定図柄で、この右側のコーヒーカップの最初に表示される初期座標位置は、移動領域記憶エリア６６２Ｂに格納される移動エリア領域７７の（４，３）の座標位置である旨がＲＡＭ６６３に記憶される。
【００８０】
そしてまた、ＣＰＵ６６１は、ＲＡＭ６６３から再度「パターン種類」を読み出し、この「パターン種類」を大当たりスクランブル移動回数記憶エリア６６２Ｆに記憶される大当たりスクランブルリーチ移動回数テーブル８５の「パターン種類」として、対応する「移動回数」を読み出し、該「移動回数」に等しい組数分の各カウンタ６６３Ｂ、６６３Ｃ、６６３Ｄ、６６３Ｅのカウント値を１組分ずつ順番に読み出す。
そして、第１組目カウント値の左側図柄Ｘカウンタ６６３Ｂのカウント値を左側図柄の１回目移動先のＸ座標とし、該第１組目カウント値の左側図柄Ｙカウンタ６６３Ｃのカウント値を左側図柄の１回目移動先のＹ座標としてＲＡＭ６６３に記憶する。また、第１組目カウント値の右側図柄Ｘカウンタ６６３Ｄのカウント値を右側図柄の１回目移動先のＸ座標とし、該第１組目カウント値の右側図柄Ｙカウンタ６６３Ｅのカウント値を右側図柄の１回目移動先のＹ座標としてＲＡＭ６６３に記憶する。続いて、同様にして残りの読み出した組数分の各組目カウント値に基づいて、左側図柄と右側図柄の２回目移動先以降の各Ｘ座標、Ｙ座標を取得してＲＡＭ６６３に記憶する。
【００８１】
例えば、「パターン種類」が「大当たりスクランブルリーチＡ」又は「大当たりスクランブルリーチＢ」の場合には、ＣＰＵ６６１は、４組分の各カウンタ６６３Ｂ、６６３Ｃ、６６３Ｄ、６６３Ｅのカウント値を１組分ずつ順番に読み出し、１組目カウント値に基づいて左図柄と右図柄の１回目移動先の各座標をＲＡＭ６６３に記憶する。また、ＣＰＵ６６１は、２組目カウント値に基づいて左図柄と右図柄の２回目移動先の各座標をＲＡＭ６６３に記憶する。また、ＣＰＵ６６１は、３組目カウント値に基づいて左図柄と右図柄の３回目移動先の各座標をＲＡＭ６６３に記憶する。また、ＣＰＵ６６１は、４組目カウント値に基づいて左図柄と右図柄の４回目移動先の各座標をＲＡＭ６６３に記憶する。
また、「パターン種類」が「大当たりスクランブルリーチＣ」又は「大当たりスクランブルリーチＤ」の場合には、ＣＰＵ６６１は、７組分の各カウンタ６６３Ｂ、６６３Ｃ、６６３Ｄ、６６３Ｅのカウント値を１組分ずつ順番に読み出し、１組目カウント値に基づいて左図柄と右図柄の１回目移動先の各座標をＲＡＭ６６３に記憶する。また、ＣＰＵ６６１は、２組目カウント値に基づいて左図柄と右図柄の２回目移動先の各座標をＲＡＭ６６３に記憶する。また、ＣＰＵ６６１は、３組目カウント値に基づいて左図柄と右図柄の３回目移動先の各座標をＲＡＭ６６３に記憶する。また、同様にして、ＣＰＵ６６１は、４組目カウント値乃至７組目カウント値に基づいて左図柄と右図柄の４回目移動先乃至７回目移動先の各座標をＲＡＭ６６３に記憶する。
【００８２】
そして、ＣＰＵ６６１は、ＲＡＭ６６３から再度「パターン種類」を読み出し、この「パターン種類」を最終停止位置記憶エリア６６２Ｄに記憶される大当たりスクランブルリーチ最終停止位置テーブル８２の「パターン種類」として、対応する「左側図柄の最終座標位置」と「右側図柄の最終座標位置」を読み出し、後述のように液晶表示器１９に表示する２個のコーヒーカップのそれぞれの最終停止位置の座標位置を決定し、ＲＡＭ６６３に記憶する。
例えば、「パターン種類」が「大当たりスクランブルリーチＡ」又は「大当たりスクランブルリーチＣ」の場合には、ＣＰＵ６６１は、左側図柄である左側のコーヒーカップの最終座標位置「（３，５）」、即ち液晶表示器１９の表示画面のほぼ中央位置を左側のコーヒーカップの最終停止位置の座標としてＲＡＭ６６３に記憶する。また、ＣＰＵ６６１は、右側図柄である右側のコーヒーカップの最終座標位置「表示領域外」、即ち、液晶表示器１９の表示画面の外側である場合には、パラメータ記憶エリア６６３Ｇに記憶する表示領域外座標選択カウント値を読み出し、上記したように該表示領域外座標選択カウント値に対応する移動エリア領域７７の座標値を右側のコーヒーカップの最終停止位置の座標としてＲＡＭ６６３に記憶する。
また、「パターン種類」が「大当たりスクランブルリーチＢ」又は「大当たりスクランブルリーチＤ」の場合には、ＣＰＵ６６１は、左側図柄である左側のコーヒーカップの最終座標位置「表示領域外」、即ち、液晶表示器１９の表示画面の外側である場合には、パラメータ記憶エリア６６３Ｇに記憶する表示領域外座標選択カウント値を読み出し、上記したように該表示領域外座標選択カウント値に対応する移動エリア領域７７の座標値を左側のコーヒーカップの最終停止位置の座標としてＲＡＭ６６３に記憶する。また、ＣＰＵ６６１は、右側図柄である右側のコーヒーカップの最終座標位置「（３，５）」、即ち液晶表示器１９の表示画面のほぼ中央位置を右側のコーヒーカップの最終停止位置の座標としてＲＡＭ６６３に記憶する。
【００８３】
続いて、Ｓ３６において、ＣＰＵ６６１は、ＲＡＭ６６３に記憶した左側図柄である左側のコーヒーカップと右側図柄である右側のコーヒーカップのそれぞれの移動する位置座標を比較して同時に同じ位置に移動する場合があるか否かを判定し、同時に同じ位置に移動する場合がある場合には、右側図柄である右側のコーヒーカップのこの重なる位置座標のＸ座標に「１」加算した位置座標を新たな位置座標としてＲＡＭ６６３に記憶する。
その後、Ｓ３７において、ＣＰＵ６６１は、左側図柄である左側のコーヒーカップと右側図柄である右側のコーヒーカップのそれぞれの移動する移動エリア領域７７の位置座標をＲＡＭ６６３から順次読み出して、該位置座標に対応する液晶表示器１９の表示画面上の位置（図１３参照）に各コーヒーカップを表示してスクランブルリーチの表示演出を実行する。
【００８４】
ここで、表示制御基板６６のＣＰＵ６６１が、主基板４６のＣＰＵ４６１から「大当たりスクランブルリーチＣ（特定図柄「７」）」の指示を受けた場合に、実行するスクランブルリーチの表示演出の一例について図２３乃至図２８に基づいて説明する。
図２３に示すように、ＣＰＵ６６１は、「大当たりスクランブルリーチＣ（特定図柄「７」）」の指示を受けると、先ず、ＣＰＵ６６１は、「パターン種類」として「大当たりスクランブルリーチＣ（特定図柄「７」）」をＲＡＭ６６３に記憶後、上記Ｓ３１〜Ｓ３３の処理を実行する。
【００８５】
具体的には、先ず、図２３（Ａ）に示すように、ＣＰＵ６６１は、図柄変動開始の指示があると（Ｓ３１：ＹＥＳ）、ＲＡＭ６６３から指示された「パターン種類」として「大当たりスクランブルリーチＣ（特定図柄「７」）」を読み出した後に、大当たりスクランブルリーチ初期位置テーブル７９から該「大当たりスクランブルリーチＣ」に対応する「左側図柄と初期座標位置」である「特定図柄：（２，３）」と「右側図柄と初期座標位置」である「次順特定図柄：（４，３）」を読み出し、ＲＡＭ６６３に記憶する。一方、ＣＰＵ６６１は、各カウント値９１のベースカウンタ６６３Ａのカウント値が次に「０」になるのを待って、各カウンタ６６３Ｂ、６６３Ｃ、６６３Ｄ、６６３Ｅのカウント値は読み込まない（Ｓ３２）。
そして、図２３（Ｂ）〜（Ｈ）の各カウント値９１に示すように、ＣＰＵ６６１は、ベースカウンタ６６３Ａのカウント値が７回「０」になるまで、該ベースカウンタ６６３Ａのカウント値が「０」になる毎に、各カウンタ６６３Ｂ、６６３Ｃ、６６３Ｄ、６６３Ｅのカウント値を読み込み、パラメータ記憶エリア６６３Ｇに順次記憶する（Ｓ３３）。
【００８６】
従って、ＣＰＵ６６１は、ベースカウンタ６６３Ａのカウント値が１回目「０」になった時に、左側図柄Ｘカウンタ６６３Ｂのカウント値である「左のＸ座標」として「５」、左側図柄Ｙカウンタ６６３Ｃのカウント値である「左のＹ座標」として「８」、右側図柄Ｘカウンタ６６３Ｄのカウント値である「右のＸ座標」として「３」、右側図柄Ｙカウンタ６６３Ｅのカウント値である「右のＹ座標」として「７」を読み込み、この「５、８、３、７」を第１組目カウント値としてパラメータ記憶エリア６６３Ｇに記憶する。同様にして、ＣＰＵ６６１は、ベースカウンタ６６３Ａのカウント値が２回目「０」になった時の「左のＸ座標」、「左のＹ座標」、「右のＸ座標」、「右のＹ座標」のカウント値を読み込み、「３、５、６、２」を第２組目カウント値としてパラメータ記憶エリア６６３Ｇに記憶する。また、ＣＰＵ６６１は、ベースカウンタ６６３Ａのカウント値が３回目「０」になった時の「左のＸ座標」、「左のＹ座標」、「右のＸ座標」、「右のＹ座標」のカウント値を読み込み、「１、２、１、９」を第３組目カウント値としてパラメータ記憶エリア６６３Ｇに記憶する。また、ＣＰＵ６６１は、ベースカウンタ６６３Ａのカウント値が４回目「０」になった時の「左のＸ座標」、「左のＹ座標」、「右のＸ座標」、「右のＹ座標」のカウント値を読み込み、「６、１０、４、４」を第４組目カウント値としてパラメータ記憶エリア６６３Ｇに記憶する。また、ＣＰＵ６６１は、ベースカウンタ６６３Ａのカウント値が５回目「０」になった時の「左のＸ座標」、「左のＹ座標」、「右のＸ座標」、「右のＹ座標」のカウント値を読み込み、「４、７、７、１１」を第５組目カウント値としてパラメータ記憶エリア６６３Ｇに記憶する。また、ＣＰＵ６６１は、ベースカウンタ６６３Ａのカウント値が６回目「０」になった時の「左のＸ座標」、「左のＹ座標」、「右のＸ座標」、「右のＹ座標」のカウント値を読み込み、「２、４、２、６」を第６組目カウント値としてパラメータ記憶エリア６６３Ｇに記憶する。更に、ＣＰＵ６６１は、ベースカウンタ６６３Ａのカウント値が７回目「０」になった時の「左のＸ座標」、「左のＹ座標」、「右のＸ座標」、「右のＹ座標」のカウント値を読み込み、「０、１、５、１」を第７組目カウント値としてパラメータ記憶エリア６６３Ｇに記憶する。
【００８７】
そして、ＣＰＵ６６１は、上記Ｓ３４の処理を実行して、表示領域外座標選択カウンタ６６３Ｆのカウント値を読み込み、「表示領域外座標位置」としてパラメータ記憶エリア６６３Ｇに記憶する（Ｓ３４）。例えば、表示領域外座標選択カウンタ６６３Ｆのカウント値が「２８」の場合には、このカウント値「２８」を、「表示領域外座標位置」としてパラメータ記憶エリア６６３Ｇに記憶する。
【００８８】
続いて、ＣＰＵ６６１は、上記Ｓ３５の処理を実行して、パラメータ記憶エリア６６３Ｇに最初に記憶された「特定図柄：（２，３）」と「次順特定図柄：（４，３）」とを読み出し、左側図柄の初期座標位置として座標（２，３）、右図柄の初期座標位置として座標（４，３）をＲＡＭ６６３に記憶する。
【００８９】
また、ＣＰＵ６６１は、ＲＡＭ６６３に記憶した指示された「パターン種類」である「大当たりスクランブルリーチＣ」を読み出し、大当たりスクランブルリーチ移動回数テーブル８５から該「大当たりスクランブルリーチＣ」に対応する「移動回数」の「７回」を読み出しＲＡＭ６６３に記憶する。そして、ＣＰＵ６６１は、この「移動回数」の「７回」に相当する回数だけ、即ち、第１組目カウント値〜第７組目カウント値をパラメータ記憶エリア６６３Ｇから順次読み込み、左側図柄と右側図柄の１回目移動先〜７回目移動先の各座標位置を決定し、ＲＡＭ６６３に記憶する。
具体的には、パラメータ記憶エリア６６３Ｇから第１組目カウント値である「５、８、３、７」を読み出し、左側図柄の１回目移動先の座標を（５，８）とし、右側図柄の１回目移動先の座標を（３，７）としてＲＡＭ６６３に記憶する。また、パラメータ記憶エリア６６３Ｇから第２組目カウント値である「３、５、６、２」を読み出し、左側図柄の２回目移動先の座標を（３，５）とし、右側図柄の２回目移動先の座標を（６，２）としてＲＡＭ６６３に記憶する。また、パラメータ記憶エリア６６３Ｇから第３組目カウント値である「１、２、１、９」を読み出し、左側図柄の３回目移動先の座標を（１，２）とし、右側図柄の３回目移動先の座標を（１，９）としてＲＡＭ６６３に記憶する。また、パラメータ記憶エリア６６３Ｇから第４組目カウント値である「６、１０、４、４」を読み出し、左側図柄の４回目移動先の座標を（６，１０）とし、右側図柄の４回目移動先の座標を（４，４）としてＲＡＭ６６３に記憶する。また、パラメータ記憶エリア６６３Ｇから第５組目カウント値である「４、７、７、１１」を読み出し、左側図柄の５回目移動先の座標を（４，７）とし、右側図柄の５回目移動先の座標を（７，１１）としてＲＡＭ６６３に記憶する。また、パラメータ記憶エリア６６３Ｇから第６組目カウント値である「２、４、２、６」を読み出し、左側図柄の６回目移動先の座標を（２，４）とし、右側図柄の６回目移動先の座標を（２，６）としてＲＡＭ６６３に記憶する。更に、パラメータ記憶エリア６６３Ｇから第７組目カウント値である「０、１、５、１」を読み出し、左側図柄の７回目移動先の座標を（０，１）とし、右側図柄の７回目移動先の座標を（５，１）としてＲＡＭ６６３に記憶する。
【００９０】
また、ＣＰＵ６６１は、再度、ＲＡＭ６６３から指示された「パターン種類」である「大当たりスクランブルリーチＣ」を読み出し、大当たりスクランブルリーチ最終停止位置テーブル８２から対応する「左側図柄の最終座標位置」と「右側図柄の最終座標位置」、即ち、「（３，５）」と「表示領域外」とを読み出す。そして、ＣＰＵ６６１は、この座標（３，５）を左側図柄の最終停止位置の座標としてＲＡＭ６６３に記憶する。また、ＣＰＵ６６１は、「右側図柄の最終座標位置」が「表示領域外」であるため、パラメータ記憶エリア６６３Ｇから「表示領域外座標位置」であるカウント値「２８」を読み出し、このカウント値２８に対応する移動エリア領域７７の座標（６、０）を右側図柄の最終停止位置の座標としてＲＡＭ６６３に記憶する。
【００９１】
続いて、ＣＰＵ６６１は、上記Ｓ３６の処理を実行して、ＲＡＭ６６３から左側図柄と右側図柄の１回目移動先〜７回目移動先のそれぞれの座標を順次読み出して重ならないことを確認後、Ｓ３７の図柄表示処理を実行する。
【００９２】
ここで、ＣＰＵ６６１が、上記の通り「大当たりスクランブルリーチＣ（特定図柄「７」）」の指示を受けた場合に実行する図柄表示処理（Ｓ３７）の一例について図２４乃至図２８に基づいて説明する。
例えば、図２４（Ａ）に示すように、ＣＰＵ６６１は、始動口３１にパチンコ球が入賞して、ＣＰＵ４６１から「パターン種類」として「大当たりスクランブルリーチＣ（特定図柄「７」）」が指示された場合には、、上記のようにＳ３１〜Ｓ３６の処理を実行する。
そして、図２４（Ｂ）〜図２８（Ｏ）に示すように、ＣＰＵ６６１は、液晶表示器１９の３列の変動図柄の変動を開始し（図２４（Ｂ））、左図柄と右図柄を特定図柄「７」で一旦停止させ、中図柄が変動するリーチ表示状態を表示する（図２４（Ｃ））。続いて、ＣＰＵ６６１は、左図柄と右図柄とを液晶表示器１９の左上に小さく並んで表示する（図２４（Ｄ））。
【００９３】
その後、ＣＰＵ６６１は、ＲＡＭ６６３から左側図柄の初期座標位置としての座標（２，３）、右図柄の初期座標位置としての座標（４，３）を読み出し、各座標（２，３）、（４，３）を移動エリア領域７７の座標として、該移動エリア領域７７の各座標（２，３）、（４，３）に対応する液晶表示器１９の表示画面のそれぞれの位置に煙の中から同じ形、色、模様の２個のコーヒーカップ９２、９３が出現するように表示する（図２５（Ｅ））。そして、ＣＰＵ６６１は、再度、パラメータ記憶エリア６６３Ｇに最初に記憶された「特定図柄：（２，３）」と「次順特定図柄：（４，３）」とを読み出し、左側図柄としてのコーヒカップ９２に隠される特定図柄を指示された特定図柄「７」とし、右側図柄としてのコーヒーカップ９３に隠される特定図柄を次順特定図柄、即ち、指示された特定図柄「７」の次の順番の特定図柄「８」としてＲＡＭ６６３に記憶後、各コーヒーカップ９２、９３の中から煙が少し吹き出すと共に、該コーヒーカップ９２、９３の中に隠されている各特定図柄「７」、「８」が飛び出して確認表示され、再度それぞれのコーヒーカップ９２、９３の中に隠れるように表示される（図２５（Ｆ））。これにより、各コーヒーカップ９２、９３の中に隠されている特定図柄（左側のコーヒーカップ９２の中には、画面左上の各特定図柄「７７」と同じ特定図柄「７」が隠され、右側のコーヒーカップ９３の中には特定図柄「７」より「１」多い特定図柄「８」が隠されている。）を遊技者は確認できる。
【００９４】
そして続いて、ＣＰＵ６６１は、ＲＡＭ６６３から左側図柄の１回目移動先の座標（５，８）と右側図柄の１回目移動先の座標（３，７）とを読み出し、左側のコーヒーカップ９２を移動エリア領域７７の座標（５，８）に対応する液晶表示器１９の表示画面の位置に移動するように表示し、右側のコーヒーカップ９３を移動エリア領域７７の座標（３，７）に対応する液晶表示器１９の表示画面の位置に移動するように表示する（図２５（Ｇ）参照）。これにより、遊技者は、各コーヒーカップ９２、９３が表示画面内を移動する状態を確認できる。
そして、ＣＰＵ６６１は、ＲＡＭ６６３から左側図柄の２回目移動先の座標（３，５）と右側図柄の２回目移動先の座標（６，２）とを読み出し、左側のコーヒーカップ９２を移動エリア領域７７の座標（３，５）に対応する液晶表示器１９の表示画面の位置に移動するように表示し、右側のコーヒーカップ９３を移動エリア領域７７の座標（６，２）に対応する液晶表示器１９の表示画面の位置に移動するように表示する（図２６（Ｈ）参照）。これにより、遊技者は、コーヒーカップ９２が表示画面の略中央位置に移動し、他方のコーヒーカップ９３が表示画面の右下側方向に出て行くように移動する状態を確認できる。
【００９５】
そしてまた、ＣＰＵ６６１は、ＲＡＭ６６３から左側図柄の３回目移動先の座標（１，２）と右側図柄の３回目移動先の座標（１，９）とを読み出し、左側のコーヒーカップ９２を移動エリア領域７７の座標（１，２）に対応する液晶表示器１９の表示画面の位置に移動するように表示し、右側のコーヒーカップ９３を移動エリア領域７７の座標（１，９）に対応する液晶表示器１９の表示画面の位置に移動するように表示する（図２６（Ｉ）参照）。これにより、遊技者は、コーヒーカップ９２が表示画面の略中央位置から左下角部に移動し、他方のコーヒーカップ９３が表示画面の右下外側から左上角部に移動する状態を確認できる。
続いて、ＣＰＵ６６１は、同様にＲＡＭ６６３から４回目移動先の各図柄の座標（６，１０）、（４、４）→５回目移動先の各図柄の座標（４，７）、（７、１１）→６回目移動先の各図柄の座標（２，４）、（２、６）→７回目移動先の各図柄の座標（０，１）、（５、１）を順次読み出しつつ、各座標を移動エリア領域７７の座標として、該座標に対応する液晶表示器１９の表示画面の位置に各コーヒーカップ９２、９３が移動するように表示する（図２６（Ｊ）〜図２７（Ｍ）参照）。これにより、遊技者は、各コーヒーカップ９２、９３が表示画面に出入りしつつ移動する状態を確認できる。
【００９６】
そして、ＣＰＵ６６１は、ＲＡＭ６６３から左側図柄の最終停止位置の座標（３，５）と右側図柄の最終停止位置の座標（６，０）とを読み出し、左側のコーヒーカップ９２を移動エリア領域７７の座標（３，５）に対応する液晶表示器１９の表示画面のほぼ中央位置に移動するように表示して、該左側のコーヒーカップ９２を画面中央部に少し大きく表示すると共に、、右側のコーヒーカップ９３を移動エリア領域７７の座標（６，０）に対応する液晶表示器１９の表示画面の右下外側に移動するように表示する（図２８（Ｎ）参照）。
その後、ＣＰＵ６６１は、画面中央部に表示された左側のコーヒーカップ９２の中から隠されている特定図柄「７」を出現させて「大当たり」が発生した旨を表示する（図２７（Ｏ）参照）。
【００９７】
そして、Ｓ４において、主基板４６のＣＰＵ４６１は、後述の「大当たり遊技処理」のサブ処理（図２９参照）を実行後、当該処理を終了する。
この「大当たり遊技処理」のサブ処理（Ｓ４）について図２９に基づいて説明する。
図２９に示すように、先ず、Ｓ１６において、ＣＰＵ４６１は、不図示のソレノイドを介して大入賞口４０を閉塞する開閉扉３９を開放する。
続いて、Ｓ１７において、大入賞口４０に入賞した入賞球が１０個に達したか否か、即ち、不図示の大入賞口カウントスイッチにより検出された入賞個数が１０個に達したか否か判定する。
そして、大入賞口４０に入賞した入賞球が１０個に達していない場合には（Ｓ１７：ＮＯ）、Ｓ１８において、大入賞口４０を開放してから所定時間（本実施形態の場合は、２５秒である。）経過したか否か判定する。そして、大入賞口４０を開放してから所定時間経過していない場合には（Ｓ１８：ＮＯ）、再度、Ｓ１６以降の処理を実行する。
【００９８】
一方、大入賞口４０に入賞した入賞球が１０個に達した場合（Ｓ１７：ＹＥＳ）、若しくは大入賞口４０を開放してから所定時間経過した場合には（Ｓ１８：ＹＥＳ）、Ｓ１９において、ＣＰＵ４６１は、不図示のソレノイドを介して、開閉扉３９を閉じて大入賞口４０を閉塞する。
続いて、Ｓ２０において、ＣＰＵ４６１は、大入賞口４０の開放中に該大入賞口４０内に設けられるＶゾーンに入賞したか否か、即ち大入賞口４０の開放中に不図示のＶスイッチから入賞球の検出信号が入力されているか否か判定する判定処理を実行する。
【００９９】
そして、大入賞口４０の開放中に該Ｖスイッチから入賞検出信号が入力されている場合には（Ｓ２０：ＹＥＳ）、Ｓ２１において、大入賞口４０を継続して開放した回数が所定の最高継続回数（本実施形態の場合には、「１６回」である。）に達したか否か判定する判定処理を実行する。この大入賞口４０を開放した回数が、所定の最高継続回数に達していない場合には（Ｓ２１：ＮＯ）、大入賞口４０を閉塞してから所定時間（本実施形態では、約２秒である。）経過後、再度、Ｓ１６以降の処理を実行する。
また、大入賞口４０の開放中にＶスイッチから入賞検出信号が入力されていない場合（Ｓ２０：ＮＯ）、若しくは、この大入賞口４０を開放した回数が、所定の最高継続回数に達した場合には（Ｓ２１：ＹＥＳ）、当該サブ処理を終了してメインフローチャートに戻る。
【０１００】
一方、Ｓ２において、ＣＰＵ４６１は、パラメータ記憶エリア４６３Ｋから読み出した「大当たりカウント値」としての代数Ｖが「大当たり数値」と一致しない場合には、「ハズレ」が発生したと判定して（Ｓ２：ＮＯ）、Ｓ５において、「リーチハズレ」か「完全ハズレ」かを判定する、即ち、液晶表示器１９に３列の各左、中、右図柄の変動表示後、リーチパターンの変動状態を表示してからハズレ図柄を一旦停止状態で表示する変動パターンか、３列の各左、中、右図柄の変動表示後、順次ハズレ図柄を一旦停止状態で表示する変動パターンかを判定する判定処理を実行する。
この「リーチハズレ」か「完全ハズレ」かを判定する判定処理は、先ず、パラメータ記憶エリア４６３Ｋから「大当たりカウント値」としての代数Ｖを読み出す。そして、この代数ＶがＲＯＭ４６２に記憶されている「第１ハズレ数値」（本実施形態の場合は、第１ハズレ数値は、１１〜４６である。）と一致するかどうか判定する。
【０１０１】
そして、パラメータ記憶エリア４６３Ｋから読み出した「大当たりカウント値」としての代数Ｖが「第１ハズレ数値」と一致すれば、「リーチハズレ」が発生したと判定され（Ｓ５：ＹＥＳ）、Ｓ６において、「ハズレリーチ」の表示パターンの選択処理を実行する。
この「ハズレリーチ」の表示パターンの選択処理は、先ず、ＣＰＵ４６１は、「ハズレリーチ」の変動パターンを選択して、この選択した変動パターンを表示制御基板６６のＣＰＵ６６１に指示する。即ち、ＣＰＵ４６１は、パラメータ記憶エリア４６３Ｋに記憶される「大当たりカウント値」としての代数Ｖを読み出し、この代数Ｖをハズレリーチパターンテーブル記憶エリア４６２Ａに格納されるハズレリーチパターンテーブル７１（図９参照）の「大当たりカウント値」として、対応する「ハズレ時リーチ表示パターン」を読み出し（第１確率）、この「ハズレ時リーチ表示パターン」を「変動パターン」として表示制御基板６６のＣＰＵ６６１に指示する。
【０１０２】
よって、ＣＰＵ４６１は、パラメータ記憶エリア４６３Ｋから読み出した代数Ｖが「１１〜３９」の場合には、「変動パターン」としてハズレリーチの「ハズレノーマルリーチ」を表示制御基板６６のＣＰＵ６６１に指示する。
そして、Ｓ７において、表示制御基板６６のＣＰＵ６６１は、この指示されたハズレリーチの「ハズレノーマルリーチ」の「変動パターン」にしたがって変動表示を行い、リーチハズレの表示を行った後、当該処理を終了する。
【０１０３】
また、Ｓ６において、ＣＰＵ４６１は、パラメータ記憶エリア４６３Ｋから読み出した代数Ｖが「４０〜４２」の場合には、「変動パターン」としてハズレリーチの「ハズレロングリーチ」を表示制御基板６６のＣＰＵ６６１に指示する。
そして、Ｓ８において、表示制御基板６６のＣＰＵ６６１は、この指示されたハズレリーチの「ハズレロングリーチ」の「変動パターン」にしたがって変動表示を行い、リーチハズレの表示を行った後、当該処理を終了する。
【０１０４】
また、Ｓ６において、ＣＰＵ４６１は、パラメータ記憶エリア４６３Ｋから読み出した代数Ｖが「４３〜４６」の場合には、「変動パターン」としてハズレリーチの「ハズレスクランブルリーチ」を「変動パターン」として選択する。また、この「ハズレスクランブルリーチ」を選択した場合には、ＣＰＵ４６１は、再度、パラメータ記憶エリア４６３Ｋに記憶される大当たりカウント値としての代数Ｖを読み出す。そして、この代数Ｖをハズレ変動パターンテーブル記憶エリア４６２Ｃに格納されるハズレスクランブルリーチパターンテーブル７５（図１１参照）の「大当たりカウント値」として、対応する「ハズレスクランブルリーチ」を読み出し、該「ハズレスクランブルリーチ」を「パターン種類」として（第１確率）、「変動パターン」と共に表示制御基板６６のＣＰＵ６６１に指示する。
【０１０５】
そして、Ｓ９において、表示制御基板６６のＣＰＵ６６１は、主基板４６から指示された「変動パターン」と「パターン種類」とをＲＡＭ６６３に記憶する。そして、ＣＰＵ６６１は、上記Ｓ３１〜Ｓ３７の処理（図２１参照）を実行して当該処理を終了する。
具体的には、図２１に示すように、表示制御基板６６のＣＰＵ６６１は、図柄変動開始指示があるまで待つ（Ｓ３１：ＮＯ）。
そして、「ハズレスクランブルリーチ」の図柄変動開始指示があった場合には（Ｓ３１：ＹＥＳ）、Ｓ３２において、ＣＰＵ６６１は、液晶表示器１９に表示されている左・中・右図柄の変動開始後、ベースカウンタ６６３Ａのカウント値を所定時間間隔（本実施形態では、約０．１ｍｓｅｃ〜２ｍｓｅｃ間隔）で順次読み込み、該カウント値が「０」になるのを確認する。
その後、Ｓ３３において、ＣＰＵ６６１は、ベースカウンタ６６３Ａのカウント値が７回「０」になるまで、該ベースカウンタ６６３Ａのカウント値が「０」になる毎に、それぞれにおける左側図柄Ｘカウンタ６６３Ｂ、左側図柄Ｙカウンタ６６３Ｃ、右側図柄Ｘカウンタ６６３Ｄ、右側図柄Ｙカウンタ６６３Ｅの各カウント値を読み込み、パラメータ記憶エリア６６３Ｇに順次記憶する。従って、各カウンタ６６３Ｂ、６６３Ｃ、６６３Ｄ、６６３Ｅのカウント値を１組分として、順次第１組目カウント値、第２組目カウント値、第３組目カウント値、・・・・、第７組目カウント値の７組分のカウント値が順番にパラメータ記憶エリア６６３Ｇに記憶される。
【０１０６】
続いて、Ｓ３４において、ＣＰＵ６６１は、表示領域外座標選択カウンタ６６３Ｆのカウント値を読み込み、「表示領域外座標位置」としてパラメータ記憶エリア６６３Ｇに記憶する。
【０１０７】
そして、Ｓ３５において、ＣＰＵ６６１は、上記のように液晶表示器１９の表示画面に２個のコーヒーカップをそれぞれ移動表示するための移動座標位置（図２５（Ｅ）〜図２８（Ｎ）参照）と該各コーヒーカップに隠される特定図柄とを決定する処理を実行する。
具体的には、先ず、ＣＰＵ６６１は、ＲＡＭ６６３から再度「パターン種類」を読み出し、この「パターン種類」を最初の表示位置記憶エリア６６２Ｃに記憶されるハズレスクランブルリーチ初期位置テーブル７８（図１４参照）の「パターン種類」として、対応する「左側図柄と初期座標位置」と「右側図柄と初期座標位置」を読み出し、液晶表示器１９に表示する２個のコーヒーカップに隠される各特定図柄と初期座標位置を決定し、ＲＡＭ６６３に記憶する。
【０１０８】
例えば、「パターン種類」が「ハズレスクランブルリーチＡ」又は「ハズレスクランブルリーチＣ」の場合には、左側のコーヒーカップに隠される特定図柄は、「大当たり」になる特定図柄で、この左側のコーヒーカップの最初に表示される初期座標位置は、移動領域記憶エリア６６２Ｂに格納される移動エリア領域７７（図１３参照）の（２，３）の座標位置である旨がＲＡＭ６６３に記憶される。また、右側のコーヒーカップに隠される特定図柄は、「大当たり」になる特定図柄の次の順番の「ハズレ」になる特定図柄で、この右側のコーヒーカップの最初に表示される初期座標位置は、移動領域記憶エリア６６２Ｂに格納される移動エリア領域７７（図１３参照）の（４，３）の座標位置である旨がＲＡＭ６６３に記憶される。
また、「パターン種類」が「ハズレスクランブルリーチＢ」又は「ハズレスクランブルリーチＤ」の場合には、左側のコーヒーカップに隠される特定図柄は、「大当たり」になる特定図柄の一つ後の「ハズレ」になる特定図柄で、この左側のコーヒーカップの初期座標位置は、移動領域記憶エリア６６２Ｂに格納される移動エリア領域７７の（２，３）の座標位置である旨がＲＡＭ６６３に記憶される。また、右側のコーヒーカップに隠される特定図柄は、「大当たり」になる特定図柄で、この右側のコーヒーカップの最初に表示される初期座標位置は、移動領域記憶エリア６６２Ｂに格納される移動エリア領域７７の（４，３）の座標位置である旨がＲＡＭ６６３に記憶される。
【０１０９】
そしてまた、ＣＰＵ６６１は、ＲＡＭ６６３から再度「パターン種類」を読み出し、この「パターン種類」をハズレスクランブル移動回数記憶エリア６６２Ｅに記憶されるハズレスクランブルリーチ移動回数テーブル８４の「パターン種類」として、対応する「移動回数」を読み出し、該「移動回数」に等しい組数分の各カウンタ６６３Ｂ、６６３Ｃ、６６３Ｄ、６６３Ｅのカウント値を１組分ずつ順番に読み出す。
そして、第１組目カウント値の左側図柄Ｘカウンタ６６３Ｂのカウント値を左側図柄の１回目移動先のＸ座標とし、該第１組目カウント値の左側図柄Ｙカウンタ６６３Ｃのカウント値を左側図柄の１回目移動先のＹ座標としてＲＡＭ６６３に記憶する。また、第１組目カウント値の右側図柄Ｘカウンタ６６３Ｄのカウント値を右側図柄の１回目移動先のＸ座標とし、該第１組目カウント値の右側図柄Ｙカウンタ６６３Ｅのカウント値を右側図柄の１回目移動先のＹ座標としてＲＡＭ６６３に記憶する。続いて、同様にして残りの読み出した組数分の各組目カウント値に基づいて、左側図柄と右側図柄の２回目移動先以降の各Ｘ座標、Ｙ座標を取得してＲＡＭ６６３に記憶する。
【０１１０】
例えば、「パターン種類」が「ハズレスクランブルリーチＡ」又は「ハズレスクランブルリーチＢ」の場合には、ＣＰＵ６６１は、４組分の各カウンタ６６３Ｂ、６６３Ｃ、６６３Ｄ、６６３Ｅのカウント値を１組分ずつ順番に読み出し、１組目カウント値に基づいて左図柄と右図柄の１回目移動先の各座標をＲＡＭ６６３に記憶する。また、ＣＰＵ６６１は、２組目カウント値に基づいて左図柄と右図柄の２回目移動先の各座標をＲＡＭ６６３に記憶する。また、ＣＰＵ６６１は、３組目カウント値に基づいて左図柄と右図柄の３回目移動先の各座標をＲＡＭ６６３に記憶する。また、ＣＰＵ６６１は、４組目カウント値に基づいて左図柄と右図柄の４回目移動先の各座標をＲＡＭ６６３に記憶する。
また、「パターン種類」が「ハズレスクランブルリーチＣ」又は「ハズレスクランブルリーチＤ」の場合には、ＣＰＵ６６１は、７組分の各カウンタ６６３Ｂ、６６３Ｃ、６６３Ｄ、６６３Ｅのカウント値を１組分ずつ順番に読み出し、１組目カウント値に基づいて左図柄と右図柄の１回目移動先の各座標をＲＡＭ６６３に記憶する。また、ＣＰＵ６６１は、２組目カウント値に基づいて左図柄と右図柄の２回目移動先の各座標をＲＡＭ６６３に記憶する。また、ＣＰＵ６６１は、３組目カウント値に基づいて左図柄と右図柄の３回目移動先の各座標をＲＡＭ６６３に記憶する。また、同様にして、ＣＰＵ６６１は、４組目カウント値乃至７組目カウント値に基づいて左図柄と右図柄の４回目移動先乃至７回目移動先の各座標をＲＡＭ６６３に記憶する。
【０１１１】
そして、ＣＰＵ６６１は、ＲＡＭ６６３から再度「パターン種類」を読み出し、この「パターン種類」を最終停止位置記憶エリア６６２Ｄに記憶されるハズレスクランブルリーチ最終停止位置テーブル８１（図１６参照）の「パターン種類」として、対応する「左側図柄の最終座標位置」と「右側図柄の最終座標位置」を読み出し、後述のように液晶表示器１９に表示する２個のコーヒーカップのそれぞれの最終停止位置の座標位置を決定し、ＲＡＭ６６３に記憶する。
【０１１２】
例えば、「パターン種類」が「ハズレスクランブルリーチＡ」又は「ハズレスクランブルリーチＣ」の場合には、ＣＰＵ６６１は、「大当たり」になる特定図柄が隠された左側図柄である左側のコーヒーカップの最終座標位置「表示領域外」、即ち、液晶表示器１９の表示画面の外側である場合には、パラメータ記憶エリア６６３Ｇに記憶する表示領域外座標選択カウント値を読み出し、上記したように該表示領域外座標選択カウント値に対応する移動エリア領域７７の座標値を左側のコーヒーカップの最終停止位置の座標としてＲＡＭ６６３に記憶する。また、ＣＰＵ６６１は、「ハズレ」になる特定図柄が隠された右側図柄である右側のコーヒーカップの最終座標位置「（３，５）」、即ち液晶表示器１９の表示画面のほぼ中央位置を右側のコーヒーカップの最終停止位置の座標としてＲＡＭ６６３に記憶する。
また、「パターン種類」が「ハズレスクランブルリーチＢ」又は「ハズレスクランブルリーチＤ」の場合には、ＣＰＵ６６１は、「ハズレ」になる特定図柄が隠された左側図柄である左側のコーヒーカップの最終座標位置「（３，５）」、即ち液晶表示器１９の表示画面のほぼ中央位置を左側のコーヒーカップの最終停止位置の座標としてＲＡＭ６６３に記憶する。また、ＣＰＵ６６１は、「大当たり」になる特定図柄が隠された右側図柄である右側のコーヒーカップの最終座標位置「表示領域外」、即ち、液晶表示器１９の表示画面の外側である場合には、パラメータ記憶エリア６６３Ｇに記憶する表示領域外座標選択カウント値を読み出し、上記したように該表示領域外座標選択カウント値に対応する移動エリア領域７７の座標値を右側のコーヒーカップの最終停止位置の座標としてＲＡＭ６６３に記憶する。
【０１１３】
続いて、Ｓ３６において、ＣＰＵ６６１は、ＲＡＭ６６３に記憶した左側図柄である左側のコーヒーカップと右側図柄である右側のコーヒーカップのそれぞれの移動する位置座標を比較して同時に同じ位置に移動する場合があるか否かを判定し、同時に同じ位置に移動する場合がある場合には、右側図柄である右側のコーヒーカップのこの重なる位置座標のＸ座標に「１」加算した位置座標を新たな右側図柄の位置座標としてＲＡＭ６６３に記憶する。
その後、Ｓ３７において、ＣＰＵ６６１は、左側図柄である左側のコーヒーカップ９２と右側図柄である右側のコーヒーカップ９３のそれぞれの移動する移動エリア領域７７の位置座標をＲＡＭ６６３から順次読み出して、該位置座標に対応する液晶表示器１９の表示画面上の位置（図１３参照）に各コーヒーカップ９２、９３を表示してハズレスクランブルリーチの表示演出を実行後、当該処理を終了する。
【０１１４】
他方、Ｓ５において、ＣＰＵ４６１は、パラメータ記憶エリア４６３Ｋから読み出した「大当たりカウント値」の代数Ｖが「第１ハズレ数値」と一致しない場合には、即ち、該代数Ｖが「１１〜４６」でない場合には、「完全ハズレ」が発生したと判定し（Ｓ５：ＮＯ）、Ｓ１０において、パラメータ記憶エリア４６３Ｋからハズレ図柄選択カウント値としての代数Ｉを読み出し、ＲＯＭ４６２からこの代数Ｉに対応するハズレ図柄を読み出し、このハズレ図柄と共に「完全ハズレ」の変動パターンを表示制御基板６６のＣＰＵ６６１に指示する。
そして、表示制御基板６６のＣＰＵ６６１は、この指示された「完全ハズレ」の変動パターンと、指示されたハズレ図柄にしたがって変動表示を行い、完全ハズレの表示を行った後、当該処理を終了する。
【０１１５】
ここで、大当たり遊技は、特別遊技状態である。また、主基板４６上のクロック回路４６０、ＣＰＵ４６１、ＲＯＭ４６２、ＲＡＭ４６３は、主制御部を構成する。また、表示制御基板６６上のクロック回路６６０、ＣＰＵ６６１、ＲＯＭ６６２、ＲＡＭ６６３、ＶＤＰ６６５は、表示制御部を構成する。また、ハズレスクランブルリーチＡ、ハズレスクランブルリーチＢ、ハズレスクランブルリーチＣ、ハズレスクランブルリーチＤ、大当たりスクランブルリーチＡ、大当たりスクランブルリーチＢ、大当たりスクランブルリーチＣ、大当たりスクランブルリーチＤは、スクランブルリーチ表示パターンを構成する。また、ＣＰＵ４６１、ＲＯＭ４６２、ＲＡＭ４６３は、リーチ表示パターン選択手段を構成する。また、最初の表示位置記憶エリア６６２Ｃは、第１表示位置記憶手段として機能する。また、最終停止位置記憶エリア６６２Ｄは、第２表示位置記憶手段として機能する。また、ＣＰＵ６６１、ＲＯＭ６６２及びＲＡＭ６６３は、移動回数決定手段、第１表示位置選択手段、及び第２表示位置選択手段を構成する。また、各コーヒーカップ９２、９３は、図柄群の図柄を隠す図柄として機能する。
【０１１６】
従って、本実施形態に係るパチンコ機１では、主基板４６のＣＰＵ４６１は、複数種類のハズレスクランブルリーチ又は大当たりスクランブルリーチの各リーチ表示パターンから一のリーチ表示パターンをそれぞれ所定の確率で選択して、表示制御基板６６のＣＰＵ６６１に出力するだけで液晶表示器１９に該ハズレスクランブルリーチ又は大当たりスクランブルリーチの一のリーチ表示パターンが表示されるため、複数種類のハズレスクランブルリーチ又は大当たりスクランブルリーチのリーチ表示パターンのそれぞれに対して、左側のコーヒーカップ９２と右側のコーヒーカップ９３のそれぞれの最初の表示位置から最後の表示位置までの間に移動するそれぞれの軌道データの複数種類の組み合わせを予めＲＯＭ４６２に記憶しておく必要が無く、主基板４６のメモリ容量の削減化及び製造コストの削減化を図ることができる。
【０１１７】
また、表示制御基板６６のＣＰＵ６６１は、主基板４６のＣＰＵ４６１から入力されたハズレスクランブルリーチ又は大当たりスクランブルリーチの各「パターン種類」に対応する左側のコーヒーカップ９２と右側のコーヒーカップ９３のそれぞれの１回目移動先の表示位置から最終停止位置の一回前の移動先の表示位置までの間に移動する移動回数をＣＰＵ４６１から入力された「パターン種類」に対応するハズレスクランブルリーチ移動回数テーブル８４又は大当たりスクランブルリーチ移動回数テーブル８５の「移動回数」に基づいて決定し、この決定した移動回数分の各移動先の座標位置を各カウンタ６６３Ａ、６６３Ｂ、６６３Ｃ、６６３Ｄ、６６３Ｅの各カウント値に基づいてランダムに選択する。その後、ＣＰＵ６６１は、各コーヒーカップ９２、９３を最初の表示位置に表示し、続いて、各コーヒーカップ９２、９３を、このランダムに選択した各移動先の座標位置に基づいて移動回数分だけランダムに移動表示した後、特定図柄を隠した一方のコーヒーカップを液晶表示器１９の表示画面の中央部に表示すると共に、他方のコーヒカップを表示画面外に移動するように表示するため、複数種類のハズレスクランブルリーチ又は大当たりスクランブルリーチのそれぞれのリーチ表示パターンに対して、各コーヒーカップ９２、９３の１回目移動先の表示位置から最終停止位置の一回前の表示位置までの間に移動するそれぞれの軌道データの複数種類の組み合わせを予めＲＯＭ６６２に記憶しておく必要が無く、表示制御基板６６のメモリ容量の削減化及び製造コストの削減化を図ることができる。
【０１１８】
また、各スクランブルリーチのリーチ表示パターンにおいて表示される各コーヒーカップ９２、９３を、遊技者の予測できないランダムに選択される各表示位置に順次移動表示でき、液晶表示器１９の演出表示効果を高めることができ、遊技者の興趣を増大させることができる。
また、ＣＰＵ６６１は、ハズレスクランブルリーチ又は大当たりスクランブルリーチの各コーヒーカップ９２、９３に隠された各特定図柄を最初に表示後、該各特定図柄を隠して移動表示するため、各コーヒーカップ９２、９３の予測できない移動表示と相まって、遊技者は表示画面上の隠された各特定図柄を更に注視して追いかけなければならなくなり、遊技者を画像演出に更に引きつけることができ、遊技の行方についての期待感をより高めることができる。
【０１１９】
また、各特定図柄が各コーヒーカップ９２、９３に隠された状態で予測できないランダムな表示位置に移動表示されるため、最後に残ったコーヒーカップに隠された特定図柄への遊技者の期待感を更に高めることができ、遊技の興趣をより増大させることができる。
更に、各コーヒーカップ９２、９３の各々の１回目移動先の表示位置から最終停止位置の表示位置の一回前の表示位置までの間に移動する座標位置は、液晶表示器１９の表示画面外の座標位置を含むため、各コーヒーカップ９２、９３が表示領域外から表示画面に入ってくる位置を予測できず、遊技者の興味を表示画面に更に強く引きつけることができる。また、各特定図柄が各コーヒーカップ９２、９３に隠されて移動表示されるため、表示領域外から表示画面に入ってきた各コーヒーカップ９２、９３に隠され特定図柄を予測することが更に困難になるため、表示画面に最後に残ったコーヒーカップ隠された特定図柄への遊技者の期待感をより高めることができ、遊技への興趣をより一層増大させることができる。
【０１２０】
尚、本発明は、上記実施形態に限定されるものではなく、本発明の要旨を逸脱しない範囲内で種々の改良、変形が可能であることは勿論である。
【図面の簡単な説明】
【０１２１】
【図１】本実施形態に係るパチンコ機全体を示した正面図である。
【図２】本実施形態に係るパチンコ機の遊技盤の遊技領域を示した正面図である。
【図３】本実施形態に係るパチンコ機の全体を示した背面図である。
【図４】本実施形態に係るパチンコ機の駆動制御に係る制御システムの構成を示すブロック図である。
【図５】本実施形態に係るパチンコ機の主基板のＲＡＭの構成を示すブロック図である。
【図６】本実施形態に係るパチンコ機の主基板のＲＯＭの構成を示すブロック図である。
【図７】本実施形態に係るパチンコ機の表示制御基板のＲＡＭの構成を示すブロック図である。
【図８】本実施形態に係るパチンコ機の表示制御基板のＲＯＭの構成を示すブロック図である。
【図９】本実施形態に係るパチンコ機の主基板のＲＯＭのハズレリーチパターンテーブル記憶エリアに格納されるハズレリーチパターンテーブルの一例を示す図である。
【図１０】本実施形態に係るパチンコ機の主基板のＲＯＭの大当たりリーチパターンテーブル記憶エリアに格納される大当たりリーチパターンテーブルの一例を示す図である。
【図１１】本実施形態に係るパチンコ機の主基板のＲＯＭのハズレ変動パターンテーブル記憶エリアに格納されるハズレスクランブルリーチパターンテーブルの一例を示す図である。
【図１２】本実施形態に係るパチンコ機の主基板のＲＯＭの大当たり変動パターンテーブル記憶エリアに格納される大当たりスクランブルリーチパターンテーブルの一例を示す図である。
【図１３】本実施形態に係るパチンコ機の表示制御基板のＲＯＭの移動領域記憶エリアに格納される移動エリア領域の一例を示す図である。
【図１４】本実施形態に係るパチンコ機の表示制御基板のＲＯＭの最初の表示位置記憶エリアに格納されるハズレスクランブルリーチ初期位置テーブルの一例を示す図である。
【図１５】本実施形態に係るパチンコ機の表示制御基板のＲＯＭの最初の表示位置記憶エリアに格納される大当たりスクランブルリーチ初期位置テーブルの一例を示す図である。
【図１６】本実施形態に係るパチンコ機の表示制御基板のＲＯＭの最終停止位置記憶エリアに格納されるハズレスクランブルリーチ最終停止位置テーブルの一例を示す図である。
【図１７】本実施形態に係るパチンコ機の表示制御基板のＲＯＭの最終停止位置記憶エリアに格納される大当たりスクランブルリーチ最終停止位置テーブルの一例を示す図である。
【図１８】本実施形態に係るパチンコ機の表示制御基板のＲＯＭのハズレスクランブル移動回数記憶エリアに格納されるハズレスクランブルリーチ移動回数テーブルの一例を示す図である。
【図１９】本実施形態に係るパチンコ機の表示制御基板のＲＯＭの大当たりスクランブル移動回数記憶エリアに格納される大当たりスクランブルリーチ移動回数テーブルの一例を示す図である。
【図２０】本実施形態に係るパチンコ機のリーチハズレ等の表示制御処理を示すフローチャートである。
【図２１】本実施形態に係るパチンコ機のスクランブルリーチのリーチ表示パターンの表示制御処理を示すフローチャートである。
【図２２】本実施形態に係るパチンコ機の表示制御基板のＣＰＵが実行する各カウンタのカウント処理を示すフローチャートである。
【図２３】本実施形態に係るパチンコ機の表示制御基板のＣＰＵが大当たりスクランブルリーチＣの場合に、該ＣＰＵが取得した２個のコーヒーカップの座標データの一例を説明する図である。
【図２４】本実施形態に係るパチンコ機の大当たりスクランブルリーチＣによる大当り発生時の表示例を示す図で、（Ａ）〜（Ｄ）は、始動口への入賞から左図柄及び右図柄が一旦停止し、中図柄が変動状態までの表示例を示す図である。
【図２５】本実施形態に係るパチンコ機の大当たりスクランブルリーチＣによる大当り発生時の表示例を示す図で、（Ｅ）〜（Ｇ）は、液晶表示器の表示画面に２個のコーヒーカップが表示された状態から各コーヒーカップが１回目の移動をした状態までの表示例を示す図である。
【図２６】本実施形態に係るパチンコ機の大当たりスクランブルリーチＣによる大当り発生時の表示例を示す図で、（Ｈ）〜（Ｊ）は、液晶表示器の各コーヒカップの２回目の移動から４回目の移動までの表示例を示す図である。
【図２７】本実施形態に係るパチンコ機の大当たりスクランブルリーチＣによる大当り発生時の表示例を示す図で、（Ｋ）〜（Ｍ）は、液晶表示器の各コーヒカップの５回目の移動から７回目の移動までの表示例を示す図である。
【図２８】本実施形態に係るパチンコ機の大当たりスクランブルリーチＣによる大当り発生時の表示例を示す図で、（Ｎ）は液晶表示器の各コーヒカップの８回目の移動状態を示す図、（Ｏ）は大当たり発生を報知する図である。
【図２９】本実施形態に係るパチンコ機の「大当たり遊技処理」のサブ処理を示すサブフローチャートである。
【符号の説明】
【０１２２】
１                  パチンコ機
１８                特別図柄表示装置
１９                液晶表示器
４６                主基板
６６                表示制御基板
９２、９３          コーヒーカップ
４６１、６６１      ＣＰＵ
４６２、６６２      ＲＯＭ
４６３、６６３      ＲＡＭ
４６２Ａ            ハズレリーチパターンテーブル記憶エリア
４６２Ｂ            大当たりリーチパターンテーブル記憶エリア
４６２Ｃ            ハズレ変動パターンテーブル記憶エリア
４６２Ｄ            大当たり変動パターンテーブル記憶エリア
６６２Ｂ            移動領域記憶エリア
６６２Ｃ            最初の表示位置記憶エリア
６６２Ｄ            最終停止位置記憶エリア
６６２Ｅ            ハズレスクランブル移動回数記憶エリア
６６２Ｆ            大当たりスクランブル移動回数記憶エリア
【図１】
2005168684.tif 000003
【図２】
2005168684.tif 000004
【図３】
2005168684.tif 000005
【図４】
2005168684.tif 000006
【図５】
2005168684.tif 000007
【図６】
2005168684.tif 000008
【図７】
2005168684.tif 000009
【図８】
2005168684.tif 000010
【図９】
2005168684.tif 000011
【図１０】
2005168684.tif 000012
【図１１】
2005168684.tif 000013
【図１２】
2005168684.tif 000014
【図１３】
2005168684.tif 000015
【図１４】
2005168684.tif 000016
【図１５】
2005168684.tif 000017
【図１６】
2005168684.tif 000018
【図１７】
2005168684.tif 000019
【図１８】
2005168684.tif 000020
【図１９】
2005168684.tif 000021
【図２０】
2005168684.tif 000022
【図２１】
2005168684.tif 000023
【図２２】
2005168684.tif 000024
【図２３】
2005168684.tif 000025
【図２４】
2005168684.tif 000026
【図２５】
2005168684.tif 000027
【図２６】
2005168684.tif 000028
【図２７】
2005168684.tif 000029
【図２８】
2005168684.tif 000030
【図２９】
2005168684.tif 000031